(57)【要約】  第２層構造およびプロシージャを使用して新しい無線ネットワークにおけるビーム管理を行うことができる。第１の例においては、新しい無線第２層構造を使用して媒体アクセス制御副層におけるビーム管理を容易にすることができる。第２の例においては、新しい無線フィードバック機構がピア媒体アクセス制御エンティティ間で信号授受され、かつ、ビーム管理を支援するために使用され得る。第３の例では、新しい無線ビーム管理プロシージャは、新しい無線ビームトレーニング、新しい無線ビームアラインメント、新しい無線ビームトラッキング、または新しい無線ビーム設定を含むことができる。第４の例においては、新しい無線接続制御プロシージャは、新しい無線初期アクセスまたは新しい無線移動管理を含むことができる。
2019525644.tif 000002
【特許請求の範囲】
【請求項１】
ビーム管理を行う装置であって、
プロセッサと、
前記プロセッサと結合されるメモリであって、前記プロセッサにより実行されたときに、
媒体アクセス制御層によりビームトレーニングコマンドおよびビームインデックスを与えることと、
前記ビームトレーニングコマンドを与えたことに応じてビームトレーニング基準信号を受け取ることと、
を含む動作を前記プロセッサに行わせる実行可能な命令を格納するメモリと、
を含む装置。
【請求項２】
前記動作は、
ビームトレーニング基準信号を受信したことに応じて、前記ビームトレーニング基準信号に関する測定を行うことと、
前記ビームトレーニング基準信号に関する前記測定および無線ネットワークのトラフィック分布情報に基づいて、１つまたは複数のビームに関する閾値測定が到達されたことを判定することであって、前記１つまたは複数のビームの第１ビームは前記ビームインデックスにより識別されることと、
前記１つまたは複数のビームに関する前記閾値測定が到達されたとの前記判定に基づいて、前記１つまたは複数のビームを設定する命令であって、ビーム解放コマンドまたはビーム追加コマンドを含む命令を与えることと、
をさらに含む、請求項１に記載の装置。
【請求項３】
前記１つまたは複数のビームに関する前記閾値測定が到達されたことは、複数のサービングビームを含む、請求項２に記載の装置。
【請求項４】
前記１つまたは複数のビームに関する前記閾値測定が到達されたことは、サービングビームより良いオフセットをもつ候補ビームを含む、請求項２に記載の装置。
【請求項５】
前記動作は、
ビームトレーニング基準信号を受信したことに応じて、前記ビームトレーニング基準信号に関する測定を行うことと、
前記ビームトレーニング基準信号に関する前記測定に基づいて、１つまたは複数のビームに関する閾値測定が到達されたことを判定することであって、前記１つまたは複数のビームの第１ビームは前記ビームインデックスにより識別されることと、
前記１つまたは複数のビームに関する前記閾値測定が到達されたとの前記判定に基づいて、前記１つまたは複数のビームの少なくとも第１ビーム測定をピア媒体アクセス制御層に報告する命令を与えることと、
をさらに含む、請求項１に記載の装置。
【請求項６】
前記動作は、
ビームトレーニング基準信号を受信したことに応じて、前記ビームトレーニング基準信号に関する測定を行うことと、
前記ビームトレーニング基準信号に関する前記測定に基づいて、１つまたは複数のビームに関する閾値測定が到達されたことを判定することであって、前記１つまたは複数のビームの第１ビームは前記ビームインデックスにより識別され、かつ、前記閾値測定は複数のサービングビームであることと、
をさらに含む、請求項１に記載の装置。
【請求項７】
前記動作は、
ビームトレーニング基準信号を受信したことに応じて、前記ビームトレーニング基準信号に関する測定を行うことと、
前記ビームトレーニング基準信号に関する前記測定に基づいて、１つまたは複数のビームに関する閾値測定が到達されたことを判定することであって、前記１つまたは複数のビームの第１ビームは前記ビームインデックスにより識別され、かつ、前記閾値測定は複数の候補ビームであることと、
をさらに含む、請求項１に記載の装置。
【請求項８】
前記動作は、
ビームトレーニング基準信号を受信したことに応じて、前記ビームトレーニング基準信号に関する測定を行うことと、
前記ビームトレーニング基準信号に関する前記測定に基づいて、１つまたは複数のビームに関する閾値測定が到達されたことを判定することであって、前記１つまたは複数のビームの第１ビームは前記ビームインデックスにより識別されることと、
前記１つまたは複数のビームに関する前記閾値測定が到達されたとの前記判定に基づいて、前記１つまたは複数のビームの少なくとも第１ビーム測定をピア媒体アクセス制御層に報告する命令を与えることであって、前記１つまたは複数のビームの前記少なくとも第１ビーム測定の前記ピア媒体アクセス制御層への前記報告は、媒体アクセス制御層制御要素の範囲内であることと、
をさらに含む、請求項１に記載の装置。
【請求項９】
前記動作は、
ビームトレーニング基準信号を受信したことに応じて、前記ビームトレーニング基準信号に関する測定を行うことと、
前記ビームトレーニング基準信号に関する前記測定に基づいて、１つまたは複数のビームに関する閾値測定が到達されたことを判定することであって、前記１つまたは複数のビームの第１ビームは前記ビームインデックスにより識別されることと、
前記１つまたは複数のビームに関する前記閾値測定が到達されたとの前記判定に基づいて、媒体アクセス制御層制御要素をピア媒体アクセス制御層に送る命令を与えることであって、前記媒体アクセス制御層制御要素は、ビーム測定に対応する値を含む論理チャネル識別子をもつＭＡＣプロコトルデータユニットサブヘッダにより識別されることと、
をさらに含む、請求項１に記載の装置。
【請求項１０】
前記動作は、
ビームトレーニング基準信号を受信したことに応じて、前記ビームトレーニング基準信号に関する測定を行うことと、
前記ビームトレーニング基準信号に関する前記測定に基づいて、１つまたは複数のビームに関する閾値測定が到達されたことを判定することであって、前記１つまたは複数のビームの第１ビームは前記ビームインデックスにより識別されることと、
前記１つまたは複数のビームに関する前記閾値測定が到達されたとの前記判定に基づいて、少なくともビームアラインメントコマンドをピア媒体アクセス制御層に報告する命令を与えることと、
をさらに含む、請求項１に記載の装置。
【請求項１１】
前記動作は、
ビームトレーニング基準信号を受信したことに応じて、前記ビームトレーニング基準信号に関する測定を行うことと、
前記ビームトレーニング基準信号に関する前記測定に基づいて、１つまたは複数のビームに関する閾値測定が到達されたことを判定することであって、前記１つまたは複数のビームの第１ビームは前記ビームインデックスにより識別されることと、
前記１つまたは複数のビームに関する前記閾値測定が到達されたとの前記判定に基づいて、少なくともビームトラッキングコマンドをピア媒体アクセス制御層に報告する命令を含むメッセージを送ることと、
をさらに含む、請求項１に記載の装置。
【請求項１２】
前記動作は、
ビームトレーニング基準信号を受信したことに応じて、前記ビームトレーニング基準信号に関する測定を行うことと、
前記ビームトレーニング基準信号に関する前記測定に基づいて、１つまたは複数のビームに関する閾値測定が到達されたことを判定することであって、前記１つまたは複数のビームの第１ビームは前記ビームインデックスにより識別されることと、
前記１つまたは複数のビームに関する前記閾値測定が到達されたとの前記判定に基づいて、少なくともビーム追加コマンドまたはビーム解放コマンドをピア媒体アクセス制御層に報告する命令を与えることであって、前記メッセージは、媒体アクセス制御層制御要素であることと、
をさらに含む、請求項１に記載の装置。
【請求項１３】
前記ビームトレーニング基準信号は、ビームスウィーピングに関係付けられる、請求項１に記載の装置。
【請求項１４】
前記媒体アクセス制御層は、前記ビームインデックスを利用してビームを識別する、請求項１に記載の装置。
【請求項１５】
前記媒体アクセス制御層は、前記ビームインデックスを使用してビームの関連特性を探索する、請求項１に記載の装置。
【請求項１６】
前記動作は、
ビームトレーニング基準信号を受信したことに応じて、前記ビームトレーニング基準信号に関する測定を行うこと
をさらに含む、請求項１に記載の装置。
【請求項１７】
前記動作は、
ビームトレーニング基準信号を受信したことに応じて、前記ビームトレーニング基準信号に関する測定を行うことであって、前記測定は基準信号受信電力を含むこと
をさらに含む、請求項１に記載の装置。
【請求項１８】
前記動作は、
ビームトレーニング基準信号を受信したことに応じて、前記ビームトレーニング基準信号に関する測定を行うことであって、前記測定は基準信号受信品質を含むこと
をさらに含む、請求項１に記載の装置。
【請求項１９】
前記動作は、
ビームトレーニング基準信号を受信したことに応じて、前記ビームトレーニング基準信号に関する測定を行うことであって、前記測定は測定報告によりピア媒体アクセス制御層に送られること
をさらに含む、請求項１に記載の装置。
【請求項２０】
前記装置は、ユーザ装置（user  equipment：ＵＥ）である、請求項１に記載の装置。
【発明の詳細な説明】
【背景技術】
【０００１】
（関連出願の引用）
本願は、２０１６年８月１１日に提出され、参照によりその内容が全面的に本願に援用されている米国仮出願第６２／３７３，６１７号「ビーム管理」の利益を主張する。
【０００２】
（背景）
ＲＲＣプロトコル状態
ＬＴＥでは、端末は、図１に示すように異なる状態、すなわち、ＲＲＣ接続およびＲＲＣアイドルとなり得る。3GPP  TS  36.331,  Radio  Resource  Control（RRC）;  Protocol  specification（Release  13）,  V13.0.0参照。
【０００３】
ＲＲＣ接続中、無線リソース制御（Radio  Resource  Control：ＲＲＣ）状態が存在する。ユーザ装置（User  Equipment：ＵＥ）の属しているセルは既知であり、かつ、ＵＥの識別、ＵＥとネットワーク間の信号授受のために使用されるセル無線ネットワーク一時識別子（Cell  Radio-Network  Temporary  Identifier：Ｃ−ＲＮＴＩ）はすでに設定されている。ＲＲＣ接続は、ＵＥとのデータの送信または受信を意図している。
【０００４】
ＲＲＣアイドル中、無線アクセスネットワーク（Radio  Access  Network：ＲＡＮ）にＲＲＣ状態は存在せず、かつ、ＵＥは特定のセルに所属していない。ＲＲＣアイドルでは、データ転送は生じない。ＲＲＣアイドルにおいてＵＥは、着信呼およびシステム情報の変更を検出するためにページングチャネルを監視する。不連続待ち受け（Discontinuous  Reception：ＤＲＸ）を使用してＵＥの電力を節約する。ＲＲＣ接続に移行したとき、ＲＡＮとＵＥの両方でＲＲＣ状態を確立する必要がある。
【０００５】
システム情報
システム情報（System  Information：ＳＩ）は、進化型地上無線アクセスネットワーク（Evolved  Universal  Terrestrial  Radio  Access  Network：Ｅ−ＵＴＲＡＮ）により送信される情報である。この情報は、ネットワーク内のアクセスおよび動作を可能とするためにＵＥが取得しなければならない。ＳＩは、マスター情報ブロック（MasterInformationBlock：ＭＩＢ）および多数のシステム情報ブロック（SystemInformationBlock：ＳＩＢ）に分割される。ＭＩＢおよびＳＩＢの高水準記述が3GPP  TS  36.300に記載されている。詳細説明は3GPP  TS  36.331に記載されている。
【表１】
2019525644.tif 000003
【０００６】
ＵＥは、3GPP  TS  36.331に記載されているシステム情報取得プロシージャを適用してＥ−ＵＴＲＡＮにより送信されるアクセスストラタム（Access  Stratum：ＡＳ）およびノンアクセスストラタム（Non-access  Stratum：ＮＡＳ）関連システム情報を取得する。このプロシージャは、ＲＲＣアイドル中のＵＥおよびＲＲＣ接続中のＵＥに適用される。図２参照。
【０００７】
ＵＥは、以下のためにシステム情報取得プロシージャを適用する。１）セルを選択するとき（たとえば、電源投入後）およびセルを再選択するとき、２）ハンドオーバ完了後、３）他の無線アクセス技術（Radio  Access  Technology：ＲＡＴ）からＥ−ＵＴＲＡに入った後、４）圏外から回復したとき、５）「システム情報」が変更された旨の通知を受信したとき、６）ＥＴＷＳ通知、ＣＭＡＳ通知またはＥＡＢパラメータが変更された旨の通知の存在に関する表示を受信したとき、７）ＣＤＭＡ２０００上位層からの要求を受信したとき、および８）最長有効持続時間を超えたとき。
【０００８】
接続移動性制御（Connection  Mobility  Control：ＣＭＣ）
3GPP  36.30に記載されているＣＭＣは、アイドルモードまたは接続モード移動性に関する無線リソースの管理に関係する。アイドルモードでは、セル再選択アルゴリズムは、最良セルを規定するかまたはＵＥが新しいセルを選択するべき時期を決定するパラメータ（閾およびヒステリシスの値）の設定により制御される。また、Ｅ−ＵＴＲＡＮは、ＵＥ測定プロシージャおよびＵＥ報告プロシージャを設定するパラメータを送信する。接続モードでは、無線接続の移動性がサポートされる必要がある。ハンドオーバ決定は、ＵＥおよびｅＮＢの測定に基づき得る。また、ハンドオーバ決定は、隣接セル負荷、トラフィック分布、トランスポートおよびハードウェアのリソースおよび事業者の規定した方針などの他の入力を考慮することもできる。ＣＭＣは、ｅＮＢ中に置かれる。
【０００９】
第２層構造
第２層は、次の副層に分割される。3GPP  36.300に記載されている媒体アクセス制御（Medium  Access  Control：ＭＡＣ）、無線リンク制御（Radio  Link  Control：ＲＬＣ）およびパケットデータコンバージェンスプロトコル（Packet  Data  Convergence  Protocol：ＰＤＣＰ）。ダウンリンクおよびアップリンクのＰＤＣＰ／ＲＬＣ／ＭＡＣアーキテクチャを、それぞれ、図３および図４に示す。
物理層測定
物理層測定は、3GPP  TS  36.300において以下に示すように規定されている。
移動性をサポートする物理層測定は、以下のとおり分類される。
●Ｅ−ＵＴＲＡＮ内（周波数内、周波数間）
●Ｅ−ＵＴＲＡＮとＧＥＲＡＮ／ＵＴＲＡＮ間（ＲＡＴ間）
●Ｅ−ＵＴＲＡＮと非３ＧＰＰ  ＲＡＴ（３ＧＰＰ間アクセスシステム移動性）
Ｅ−ＵＴＲＡＮ内の測定について、２つの基本ＵＥ測定数量がサポートされなければならない。
●基準信号受信電力（Reference  signal  received  power：ＲＳＲＰ）
●基準信号受信品質（Reference  signal  received  quality：ＲＳＲＱ）
また、以下のＵＥ測定数量もサポート可能である。
●受信信号強度表示（Received  signal  strength  indicator：ＲＳＳＩ）
●基準信号対雑音干渉比（Reference  signal  to  noise  and  interference  ratio：ＲＳ−ＳＩＮＲ）
ＲＳＲＰ測定は、以下の信号に基づいている。
●セル固有基準信号、または
●設定された検出信号中のＣＳＩ基準信号
【００１０】
ＲＳＲＰ測定報告マッピング
ＲＳＲＰ測定報告マッピングは、3GPP  TS  36.133において以下に示すとおり規定されている。ＲＳＲＰの報告範囲は、−１４０ｄＢｍから−４４ｄＢｍであり、分解能は１ｄＢである。測定された数量のマッピングを表２に示すとおり規定されている。信号授受の範囲は、保証された精度範囲より大となり得る。
【表２】
2019525644.tif 000004
【００１１】
マルチアンテナ伝送
ＬＴＥにおけるマルチアンテナ伝送は、図５に示すとおりデータ変調の出力から種々のアンテナポートへのマッピングとして説明し得る。アンテナマッピングへの入力は、１つまたは２つの伝送ブロックに対応する変調符号（ＱＰＳＫ、１６ＱＡＭ、６４ＱＡＭ）から構成される。アンテナマッピングの出力は、各アンテナポートへの一連の符号である。各アンテナポートの符号は、続いてＯＦＤＭ変調器に加えられる。すなわち、それは、そのアンテナポートに対応する基本ＯＦＤＭ時間周波数グリッドにマップされる。
【００１２】
種々のマルチアンテナ伝送方式は、種々のいわゆる伝送モードに対応する。ＬＴＥのために１０種類の伝送モードが規定されている。これらは、アンテナマッピングの固有の構造において異なっているが、復調のために使用する基準信号（それぞれ、セル固有基準信号または復調基準信号）およびこれらが依存するＣＳＩフィードバックの型においても異なっている。
【００１３】
以下のリスト表は、ＬＴＥに関して規定されている伝送モードおよび関連マルチアンテナ伝送方式の要約である。
●伝送モード１：シングルアンテナ伝送
●伝送モード２：送信ダイバーシチ
●伝送モード３：複数層の場合はオープンループコードブック準拠プリコーディング、ランクワン伝送の場合は送信ダイバーシチ
●伝送モード４：クローズドループコードブック準拠プリコーディング
●伝送モード５：マルチユーザＭＩＭＯ版の伝送モード４
●伝送モード６：シングル層伝送に限定されるクローズドループコードブック準拠プリコーディングの特例
●伝送モード７：シングル層伝送のみをサポートするリリース８コードブック不準拠プリコーディング
●伝送モード８：２層までサポートするリリース９コードブック不準拠プリコーディング
●伝送モード９：８層までサポートするリリース１０コードブック不準拠プリコーディング
●伝送モード１０：種々の手段のダウンリンクマルチポイントの調整および伝送のサポートを強化する伝送モード９のリリース１１拡張、ＣｏＭＰとも呼ばれる。
【発明の概要】
【００１４】
本願は、新しい無線（new  radio：ＮＲ）ネットワークにおけるビーム管理のために使用し得るＬ２構造およびプロシージャを開示する。第１の例において、ＮＲ  Ｌ２構造を使用してＭＡＣ副層におけるビーム管理を容易にすることができる。第２の例では、ＮＲフィードバック機構をピアＭＡＣエンティティ間において信号授受し、かつ、それを使用してビーム管理を支援することができる。第３の例では、ＮＲビーム管理プロシージャは、ＮＲビームトレーニング、ＮＲビームアラインメント、ＮＲビームトラッキング、またはＮＲビーム設定を含み得る。第４の例では、ＮＲ接続制御プロシージャは、ＮＲ初期アクセスまたはＮＲ移動性の管理を含み得る。
【００１５】
この概要は、以下の詳細説明においてさらに詳しく説明されるえりすぐりのコンセプトを単純化した形式で紹介する。この概要は、請求される主題事項の重要な特徴または本質的な特徴を示すことは意図しておらず、また、請求される主題事項の範囲を限定するために使用されることも意図していない。さらに、請求される主題事項は、本開示のいずれかの部分において記述されるいずれかの不利益または全部の不利益を解決することのみに限られない。
【図面の簡単な説明】
【００１６】
より詳細な理解は、添付図面を利用する例示の方法による以下の説明から得られるであろう。添付図面の内容は、次のとおりである。
【図１】図１は、典型的なＲＲＣプロトコル状態機械を示す。
【図２】図２は、典型的なシステム情報取得プロシージャを示す。
【図３】図３は、ＤＬの典型的な第２層構造を示す。
【図４】図４は、ＵＬの典型的な第２層構造を示す。
【図５】図５は、ＬＴＥ  ＤＬマルチアンテナ伝送の典型的な構造を示す。
【図６】図６は、セクタビームおよび多数の高利得ナロービームによる典型的なセルカバレッジを示す。
【図７】図７は、典型的な仮想セルを示す。
【図８】図８は、典型的なネットワークスライシングコンセプトを示す。
【図９】図９は、典型的なＮＲ仮想セルを示す。
【図１０】図１０は、ＮＲ仮想セルにおける典型的なＵＥ移動を示す。
【図１１】図１１は、ＤＬビームアグリゲーションの典型的ＮＲ第２層構造を示す。
【図１２】図１２は、ＵＬビームアグリゲーションの典型的ＮＲ第２層構造を示す。
【図１３】図１３は、キャリアアグリゲーション構成によるＤＬビームアグリゲーションの典型的なＮＲ第２層構造を示す。
【図１４】図１４は、キャリアアグリゲーション構成によるＵＬビームアグリゲーションの典型的なＮＲ第２層構造を示す。
【図１５】図１５は、典型的ＮＲビーム測定報告ＭＡＣ  ＣＥを示す。
【図１６】図１６は、典型的ビームトレーニングコマンドＭＡＣ  ＣＥを示す。
【図１７】図１７は、典型的ビームアラインメントコマンドＭＡＣ  ＣＥを示す。
【図１８】図１８は、典型的ビームトラッキングコマンドＭＡＣ  ＣＥを示す。
【図１９】図１９は、典型的ＮＲビーム追加／解放コマンドＭＡＣ  ＣＥを示す。
【図２０】図２０は、ＮＲビームトレーニングに関する典型的方法を示す。
【図２１】図２１は、ＮＲビームアラインメントに関する典型的方法を示す。
【図２２】図２２は、ＮＲビームトラッキングに関する典型的方法を示す。
【図２３】図２３は、ＮＲビーム設定（ＵＥ制御）に関する典型的方法を示す。
【図２４】図２４は、ＮＲビーム設定（ＮＷ制御）に関する典型的方法を示す。
【図２５】図２５は、ＮＲ初期アクセス（ＵＥ制御）に関する典型的方法を示す。
【図２６】図２６は、ＮＷ制御初期アクセスに関する典型的方法を示す。
【図２７】図２７は、ＮＲ移動性管理（ＵＥ制御）に関する典型的方法を示す。
【図２８】図２８は、ＮＲ移動性管理（ＮＷ制御）に関する典型的方法を示す。
【図２９Ａ】図２９Ａは、実施例通信システム１００を示す。このシステムにおける方法および装置がビーム管理に関して記述され、かつ、本願において請求される。
【図２９Ｂ】図２９Ｂは、本願において示されているビーム管理による無線通信のために構成される実施例の装置または機器のブロック図である。
【図２９Ｃ】図２９Ｃは、本願において論じられているビーム管理によるＲＡＮ１０３およびコアネットワーク１０６の系統図である。
【図２９Ｄ】図２９Ｄは、本願において論じられているビーム管理によるＲＡＮ１０４およびコアネットワーク１０７の系統図である。
【図２９Ｅ】図２９Ｅは、本願において論じられているビーム管理に関連付けられ得るＲＡＮ１０５およびコアネットワーク１０９の系統図である。
【図２９Ｆ】図２９Ｆは、典型的コンピュータシステム９０のブロック図である。このシステムでは、図２９Ａ、２９Ｃ、２９Ｄ、および２９Ｅに示されている通信ネットワークの１つまたは複数の装置を本願において論じられているビーム管理に関連付けることができる。
【図３０】図３０は、本願において論じられている方法およびシステムに基づいて生成し得る典型的表示（たとえば、グラフィカルユーザインターフェース）を示す。
【発明を実施するための形態】
【００１７】
本願において開示されるＬ２の構造およびプロシージャは、無線ネットワークのビーム管理のために使用し得る。Ｌ２構造を使用することによりＭＡＣ副層におけるビーム管理を容易にすることができる。
【００１８】
開示されるフィードバック機構は、ピアＭＡＣエンティティ間において信号授受され、かつ、それを使用してビーム管理を支援することができる。１つの実施例では、ＮＲビーム測定報告ＭＡＣ制御要素（control  element：ＣＥ）を使用してピアＭＡＣエンティティ間においてビーム測定結果を伝えることができる。別の例では、一連のＭＡＣ  ＣＥを使用して開示ＮＲビーム管理プロシージャを設定し、かつ、制御することができる。
【００１９】
また、一連の典型的ビーム管理プロシージャを開示する。ＮＲビームトレーニングプロシージャを使用することにより、ＵＥまたはネットワーク（Network：ＮＷ）ノードにより送出されるビームを検出し、かつ、測定することができる。ＮＲビームアラインメントプロシージャを使用してビームのアラインメントを修正することができるが、これはビーム幅、ビーム方向などの調整を含み得る。ＮＲビームトラッキングプロシージャを使用してＵＥとＮＷノード間の通信のために使用されるビームのアラインメントを維持することができる。ＮＲビーム設定プロシージャを使用してＵＥとＮＷノード間の通信のために使用されるサービングビーム群を設定または再設定することができる。
【００２０】
さらに、本願は、一連のＮＲ接続制御プロシージャを開示する。ＮＲ初期アクセスプロシージャを使用してＮＲビーム中枢ネットワークにおける初期アクセスを行うことができる。ＮＲ移動性管理プロシージャを使用してＮＲビーム中枢ネットワークにおける移動性管理を行うことができる。
【００２１】
ＮＲアクセス技術を使用して、中でも高速大容量モバイルブロードバンド、大規模ＭＴＣ、および重要なＭＴＣを含む広い範囲の使用事例を満たすことができる。ＮＲは、１００ＧＨｚの周波数を考慮する。高周波ＮＲ（High  Frequency  NR：ＨＦ−ＮＲ）システムにおいて増加する経路損失を補償するためにビーム形成を行うことができる。高利得ビームを使用してセルにおける包括的カバレッジを実現し得る。狭いバンド幅のために、ビームは、移動のみならず、ＵＥの方向の変化または現地状況の変化によりもたらされる妨害の影響を受けやすくなる。ＬＴＥネットワークにおいて移動性を管理するために使用されるＲＲＣハンドオーバプロシージャのような機構は、非常に多くの信号授受オーバーヘッドを必要とし、かつ、高速ビームスイッチングの取り扱いにおいて好ましくない遅延時間を引き起こす。したがって、ＮＲネットワークなどの無線ネットワークにおけるビーム管理を行うために使用され得る第２層（layer  2：Ｌ２）に基づく機構を必要とする。
【００２２】
ビーム形成の影響。高い周波数は、カバレッジおよびダウンリンク共通チャネル用に多数のナロービームを使用することによる経路損失の補償に影響を及ぼす。これを図６に示す。低い周波数帯域（たとえば、現在のＬＴＥ帯域＜６ＧＨｚ）では、必要なセルカバレッジは、ダウンリンク共通チャネルを伝送するために広いセクタビームを形成することにより実現し得る。しかし、より高い周波数（たとえば、＞＞６ＧＨｚ）について広いセクタビームを使用すると、同一アンテナ利得の場合にセルカバレッジは低減する。したがって、より高い周波数帯域について必要なセルカバレッジを得るために、増加した経路損失を補償するためにより高いアンテナ利得が必要となる。広いセクタビームについてアンテナ利得を増大するために、より大きなアンテナアレイ（アンテナ素子の個数は１０から１００に及ぶ）を使用して高利得ビームを形成する。
【００２３】
その結果、高利得ビームは広いセクタビームに比べて狭いので、要求されたセルエリアをカバーするためにダウンリンク共通チャネルを伝送する多数のビームが必要となる。アクセスポイントが形成できる同時高利得ビームの本数は、利用されるトランシーバアーキテクチャのコストおよび複雑さにより制限されるであろう。実際には、高い周波数の場合に、同時高利得ビームの本数は、セルエリアをカバーするために必要なビームの合計数よりかなり少ない。換言すると、アクセスポイントは、常にビームの一部を使用してセルエリアの一部をカバーできるのみである。
【００２４】
仮想セル。仮想セルは、図７に示すように、中央装置の制御下にあり、かつ、同一セルＩＤをもつ多数の伝送受信ポイント（Transmission  Reception  Points：ＴＲＰ）として規定し得る。共通情報またはセルレベル情報が大きなセルエリアにおいて伝送され、かつ、ＣＰ／ＵＰ分割の実現により専用データがＵＥに近い隣接ＴＲＰから伝送される。
【００２５】
２０２０年以降のＩＭＴは、現在のＩＭＴを超えて続く多種多様な使用シナリオおよびアプリケーションへの拡張およびそれらのサポートを考慮している。ITU-R  M.2083-0,  IMT  Vision  -  "Framework  and  overall  objectives  of  the  future  development  of  IMT  for  2020  and  beyond."参照。さらに、広範な機能が２０２０年以降のＩＭＴ向けのこれらの将来の種々の使用シナリオおよびアプリケーションと密接に結合されるであろう。
【００２６】
２０２０年以降のＩＭＴに関する使用シナリオ群は以下を含む。
高速大容量モバイルブロードバンド（enhanced  Mobile  Broadband：ｅＭＢＢ）
●マクロセルおよびスモールセル
●１ｍｓ遅延時間（無線インターフェース）
●ＷＲＣ−１５に割り当てられるスペクトルは、追加スループット８Ｇｂｐｓに達するであろう
●高い移動性のサポート
超高信頼低遅延通信（Ultra-Reliable  and  Low  Latency  Communications：ＵＲＬＬＣ）
●低〜中データ転送速度（５０ｋｂｐｓ〜１０Ｍｂｐｓ）
●＜１ｍｓ無線インターフェース遅延
●９９．９９９％の信頼性および可用性
●低接続確立遅延
●０−５００ｋｍ／ｈ移動性
大容量マシンタイプ通信（massive  Machine  Type  Communications：ｍＭＴＣ）
●低データ転送速度（１〜１００ｋｂｐｓ）
●高デバイス密度（２００，０００／ｋｍ２まで）
●遅延時間：数秒から数時間
●低電力：バッテリ自立最長１５年
●非同期アクセス
ネットワーク運用
●ネットワーク運用は、ネットワークスライシング、ルーティング、移行と相互作用、エネルギー節約などのような主題を取り扱う。
【００２７】
次世代ネットワークの要件
3GPP  TR  38.913  Study  on  Scenarios  and  Requirements  for  Next  Generation  Access  Technologies;（Release  14）,  V0.3.0は、次世代アクセス技術のシナリオおよび要件を規定している。ｅＭＢＢ、ＵＲＬＬＣおよびｍＭＴＣの機器の主要性能指標（Key  Performance  Indicators：ＫＰＩ）を表３に要約する。
【表３】
2019525644.tif 000005
【００２８】
ネットワークスライシング。図８は、ネットワークスライシングコンセプトの高レベル図解を示す。ネットワークスライスは、特定の使用例の通信サービス要件をサポートする論理ネットワーク機能の集まりから構成される。事業者またはユーザのニーズを満たす方法により、たとえば、加入者または端末の種類に応じて端末を選択されたスライスに導くことが可能でなければならない。ネットワークスライシングは、主としてコアネットワークの分割を狙いとするが、しかしＲＡＮが多数のスライスまたは種々のネットワークスライスのためのリソースの分割さえもサポートする特定の機能を必要とすることは排除されない。3GPP  TR  22.891,  Feasibility  Study  on  New  Services  and  Markets  Technology  Enablers（SMARTER）;  Stage  1（Release  14）,  V1.3.2参照。
【００２９】
典型的なＮＲ展開シナリオを図９に示す。この展開では、ｇＮＢ２０１が多数のＴＲＰを制御する。ｇＮＢ２０１の制御下でＴＲＰは、仮想セルを形成する。ＴＲＰ（たとえば、ＴＲＰ２０２、ＴＲＰ２０３、ＴＲＰ２０４）は、多数のビームを使用してカバレッジを提供し得る。１つまたは複数のＴＲＰからのビームの放射パターンは、仮想セルエリアの完全なカバレッジを与えるためにオーバーラップし得る。ＵＥ２０５は、多数のビームを使用する送信および受信をサポートすることができる。ＵＥ２０５は、ＴＲＰ間送信／受信もサポートし得るが、ここでｇＮＢ２０１との通信のために使用されるビームは、仮想セル内の種々のＴＲＰから到来する。
【００３０】
通信のために使用されるビーム２０９（たとえば、ＵＥ２０５のビームＡまたはビームＢ、ビーム２０６（たとえば、ＴＲＰ２０２のビームＡ、ビームＢ、またはビームＣ）、ビーム２０７（たとえば、ＴＲＰ２０３のビームＡ、ビームＢ、またはビームＣ）、またはビーム２０８（たとえば、ＴＲＰ２０４のビームＡ、ビームＢ、またはビームＣ）は、ＵＥ２０５が仮想セルのカバレッジエリア内を移動するのにつれて変化し得る。高周波シナリオ、たとえば、ｍｍＷの場合、使用され得るビーム２０６、２０７、２０８または２０９も現場環境の変化の影響を受けることがある。たとえば、利用者／物体が移動するとＵＥの向きなどが変化する。
【００３１】
ＮＲネットワークにおけるビームレベル移動性をサポートするために、ＮＲビーム管理プロシージャは、サービングビーム、候補ビーム、または検出ビームなどのビームの種類を区別することができる。サービングビームは、ＵＥ２０９とＴＲＰ／ｇＮＢ（たとえば、ＴＲＰ２０２／ｇＮＢ２０１）間の通信のために使用されているビームであり得る。サービングビームの決定は、ＵＥ２０９およびネットワークの測定に基づき得る。また、ＴＲＰ負荷、トラフィック分布、伝送とハードウェアのリソースおよび事業者規定方針などの他の入力も考慮し得る。ＵＥ２０５は、中でも、割当／許可をスケジュールするためにサービングビームを監視し、ビームを引き続きサービングビーム基準に適合させるために測定を行い、またはビームを引き続きサービングビーム基準に適合させるために測定結果を報告することができる。サービングビーム基準サービングビーム基準は、測定数量として規定し得る。たとえば、設定された閾値以上であるＲＳＲＰ、ＲＳＲＱ、ＲＳＳＩまたはＳＩＮＲ。
【００３２】
候補ビームは、通信ビーム（たとえば、サービングビーム基準を満たす）として使用され得るビームであり得るが、しかしサービングビームとして設定されていない。ＵＥ２０５は候補ビームの測定を行い、その測定結果を報告し得るが、しかし割当／グラントをスケジュールするためのビーム監視は行わない。
【００３３】
検出ビームは、ＵＥ２０５によりすでに測定されたビームであり得るが、しかしサービングビーム基準を満たさない。ＵＥ２０５は、検出ビームの測定および測定値の報告を行い得るが、しかし割当／グラントをスケジュールするためのビーム監視は行わない。
【００３４】
図９に示した例では、サービングビームは、ＵＥ２０５のビームＡ（すなわち、ビーム群２０９のビームＡ）と対にされるＴＲＰ２０２のビームＢ（すなわち、ビーム群２０６のビームＢ）およびＵＥ２０５のビームＢ（すなわち、ビーム群２０９のビームＢ）と対にされるＴＲＰ２０３のビームＡ（すなわち、ビーム群２０７のビームＡ）である。候補ビームはＴＲＰ２０２のビームＣおよびＴＲＰ２０３のビームＢであり、また、検出ビームはＴＲＰ２０２のビームＡおよびＴＲＰ２０３のビームＣである。
【００３５】
図１０に示すようにＵＥ２０５が移動した後、サービングビームは、ＵＥ２０５のビームＡと対にされるＴＲＰ２０３のビームＢおよびＵＥ２０５のビームＢと対にされるＴＲＰ２０３のビームＣである。候補ビームはＴＲＰ２０３のビームＡである。このシナリオでは、検出ビームは存在しない。
【００３６】
ＮＲ第２層構造について以下において述べる。ＭＡＣ副層におけるビーム管理を容易にするために、物理層のマルチビーム性をＭＡＣ副層に反映させる。図１１は、ＤＬビームアグリゲーションの典型的ＮＲ第２層構造を示す。ある例では、１つのＨＡＲＱエンティティ（たとえば、ＨＡＲＱ２２１）がビーム（たとえば、ビーム２２２）ごとに必要であり、かつ、論理チャネルのビームへのマッピングはＭＡＣ副層（たとえば、ＭＡＣ副層２２０）により行われる。これは、ビームアグリゲーションと呼ばれることがある。ＤＬおよびＵＬビームアグリゲーションのＮＲ  Ｌ２構造を、それぞれ、図１１および図１２に示す。装置図３または図４などの在来のシステムは、本願において開示されるようなビームのコンセプトを考慮していないことに注意するべきである。たとえば、図１１〜図１４では、ＮＲの物理層のマルチビーム性がＭＡＣ副層２２０に反映される。ＭＡＣ２２０からビームが見えるようにすることによりビームレベルのアグリゲーションが可能となる。これは、ＭＡＣスケジューラ２２６が独自にビームをスケジュールすることも可能にする。
【００３７】
ＭＡＣ副層は、論理チャネル（たとえば、論理チャネル２２４）と伝送チャネル（たとえば、伝送チャネル２２５−ＤＬ−ＳＣＨ）間のマッピングを行う。開示されるＮＲ  Ｌ２構造では、ＭＡＣ副層２２０は、サービングビームに対するマッピングも行う。単一のサービングビーム上の伝送がスケジュールされた場合、単一の伝送ブロックが生成され、かつ、スケジュールされたサービングビーム上のダウンリンク共有チャネル（Downlink  Shared  Channel：ＤＬ−ＳＣＨ）にマップされる。２つ以上のサービングビームがスケジュールされた場合、ＭＡＣ副層２２０は、スケジュールされた各サービングビームに１つずつ多数の伝送ブロックを生成する。所与の（ＤＬ−ＳＣＨ／ビーム）のために伝送ブロックを作成するとき、ＭＡＣエンティティ２２０は、１つまたは複数の論理チャネル（たとえば、論理チャネル２２４）から無線リンク制御プロコトルデータユニット（radio  link  control  protocol  data  unit：ＲＬＣ  ＰＤＵ）を多重化することができる。多重化およびビームマッピングは、ブロック２２３により行われ得る。図１１（および図１２〜図１４）の場合、多重化およびビームマッピングのための種々の平行四辺形が種々のＵＥの多重化およびビームマッピングに対応し得る。所与の１つのビーム上にスケジュールされた複数ＵＥが存在し得るので、たとえば、ビームｕを何回も示すことができる。
【００３８】
本願において論じるように、物理層のマルチビーム性を多重化機能に反映させることができ、したがって論理チャネルの特定ビームへのマッピングを可能にする。マッピングを行う方法は、ＵＥ測定結果およびネットワーク測定結果などの情報に基づき得る。また、ＴＲＰ負荷、トラフィック分布、伝送およびハードウェアのリソース、または事業者規定方針のようなその他の情報を考慮することもできる。
【００３９】
例として、ＴＲＰ１９９が図６に示すように広いセクタビームおよび多数の高利得ナロービームによりカバレッジを与えるシナリオを考える。ＵＥが広いセクタビームのカバレッジエリア内にある場合、高い信頼性／短い遅延時間を要求する論理チャネル（たとえば、制御信号授受）のＲＬＣ  ＰＤＵをセクタビームにマップすることが有利であろう。セクタビーム経由の伝送は、より広いビーム幅のおかげで妨害の影響を受けにくいであろうからである。その代わりに、ＵＥがセルの境界付近にあり、多数の高利得ナロービームによりカバーされている場合には、高信頼性／短い遅延時間を要求するＲＬＣ  ＰＤＵを「ベストビーム」にマップすることが有利であろう。この場合、「ベストビーム」の決定は、本願において記述されるビーム管理のためのＮＲフィードバック（たとえば、ＮＲ−ＲＳＲＰ）に基づき得る。「ベストビーム」は、最高のＲＳＲＰ（たとえば、ＮＲ−ＲＳＲＰ）のビームと見なすことができる。
【００４０】
図１３および図１４を参照する。物理層のマルチビームアーキテクチャ性をビームとコンポーネントキャリアの対（ビームｉ、ＣＣｊ）ごとに１つのＨＡＲＱエンティティを必要とするＭＡＣ層に反映させる。この場合、サービングセルのグループに対応するカバレッジエリアは、ｎ本のビームおよびｍ個のＣＣとしてモデル化される。
【００４１】
サービングセルのグループ（キャリアアグリゲーションモデル）のスケジューラ（たとえば、ネットワークにおいて、スケジューラ２４１）は、コンポーネントキャリアとビームの対[（ビーム１、ＣＣ１）、…（ビームｉ、ＣＣｊ）、（ビームｎ、ＣＣｍ）の対にわたるスケジューリングを行う。このスケジューリングは、ｎ本のビームおよびｍ個のＣＣとしてモデル化されるサービングセルのグループのカバレッジエリアに対応する。スケジューラは、中央装置（central  unit：ＣＵ）に集中するかまたは中央装置と分散装置（distributed  unit：ＤＵ）間に分散することができる。ＣＵ／ＤＵとｇＮＢ／ＴＲＰ間のマッピングは、実装固有または展開固有とすることができる。所与の展開に対して、スケジューラは、集中化されるかまたは分散される。別の方法では、仕様に従ってｇＮＢはＣＵに対応し、かつ、ＤＵはＴＲＰまたはＣＵ内のＴＲＰの集合の部分集合に対応し得る。たとえば、ｇＮＢを集中化する一方ＴＲＰは分散する。スケジューラは、ＣＵであるｇＮＢまたはＤＵであるＴＲＰを対象とすることができる。
【００４２】
ＮＲ伝送モードは、ビーム中心アーキテクチャに関連して定義され、かつ、指定され得る。ＵＥ２０５は、たとえば、ＵＥ２０５とＮＷノード間の機能交換に従って、ＮＷノード（たとえば、ｇＮＢ２０１またはＴＲＰ２０２）による伝送モードで静的にまたは準静的に（たとえば、ＲＲＣ信号授受）構成され得る。各伝送時間間隔（transmission  time  interval：ＴＴＩ）の間に、ＵＥ２０５の物理層は、設定された伝送モードにより許容される伝送パラメータの選択を決定することができる。この決定は、ＭＡＣ層にとって透過的たり得る。たとえば、ＵＥ２０５は、測定を行い、その結果をＮＷノード１９０に報告し得る。測定報告は、プリコーダマトリクスインジケータおよびランクインジケータを含み得る。これらは、ＮＷノード１９０（たとえば、ｇＮＢ）により伝送モードを決定するために使用され得る。種々の伝送モードは、多層伝送と呼ばれる伝送を行うために使用される種々のマルチアンテナ伝送方式の使用に対応する。伝送のために１つの層の他に別の層を使用するか否かは、チャネル状態またはサービスにより要求されるスループットに依存するであろう。たとえば、最多８つの層をサポートする伝送モード９はチャネル状態が非常に良い場合に高いデータ転送速度のサービスのために使用し得る一方、伝送モード２（送信ダイバーシチ）はユーザがセル境界にあり、かつ、チャネル状態が良くない場合に使用し得る。
【００４３】
アップリンクとダウンリンクの両方において、対（ビームｉ、ＣＣｊ）ごとに１つの独立ハイブリッドＡＲＱエンティティが存在し、かつ、空間多重化がない場合に対（ビームｉ、ＣＣｊ）ごとのＴＴＩごとに１つの伝送ブロックが生成される。各伝送ブロックおよびその潜在的なＨＡＲＱ再送が単一の対（ビームｉ、ＣＣｊ）にマップされる。
【００４４】
図１４を参照する。ＵＬにおいて、ＵＥ２０５のＭＡＣは、論理チャネル優先順位付けおよびスケジューリング（ノングラントレス伝送の場合にｇＮＢ２０１からのグラントに基づくものであると思われる）を行うことができる。ＵＥ２０５マルチプレクサのＭＡＣは、論理チャネル多重化を行い、かつノングラントレス伝送の場合に各ＣＣｊについて受信されるグラントに基づいて、多重化されたデータを各対（ビームｉ、ＣＣｊ）に関するＨＡＲＱエンティティに分配することができる。ＵＥ２０５は、ＵＬグラントレス伝送の場合に自立的に決定を行い得る。１つの例では、ＵＲＬＬＣサービスの場合に、ＵＥ２０５は、遅延時間要件のためにグラントが受信されるまで待つことができない場合がある。ＵＥ２０５は、それがもっている尺度（過去の伝送に関するＢＬＥＲのような）または場合によりｇＮＢ２０１からのフィードバックに基づいてビーム／ＣＣを選択することができる。
【００４５】
本願においてビーム管理のためのＮＲフィードバックを開示する。ピアＭＡＣエンティティ間において信号授受されるフィードバックを使用してビーム管理（たとえば、ビーム選択、ビームトレーニング、サービングビームの決定など）に役立てることができる。フィードバックは、ＲＳＲＰまたはＲＳＲＱなど、物理層により行われるビーム測定に基づき得る。ここで測定数値ＮＲ−ＲＳＲＰおよびＮＲ−ＲＳＲＱはビームトレーニング基準信号（Beam  Training  Reference  Signals：ＢＴ−ＲＳ）に基づく。ノードは測定を行い、サービングビーム、候補ビーム、または検出ビームに関するフィードバックを報告し得る。この場合、各ビームは、ビームインデックス（たとえば、ビームＩｄ）により規定され得る。ビームトレーニング基準信号は、ビームを特定するために使用される特定の時間周波数リソースを占有する信号であり、かつ、ビーム管理プロシージャにより使用される。ＢＴ−ＲＳは受信ノードにより測定され、かつ、決定はこれらの測定の結果に基づいて下され得る。ビームＩｄは、ビームを一意に識別する構成概念とすることができる。それは、明確なＩｄまたはビーム識別および関連特性（たとえば、基準信号構造）を「探索する」ために使用されるインデックスでもよい。ビームＩｄは、ビームの識別に対応する数値でもよい。
【００４６】
ＭＡＣエンティティ間で信号授受されるフィードバックを使用してＵＥ制御またはＮＷ制御によるビーム管理を可能にすることができる。ＵＥ制御のビーム管理の場合、ＵＥ２０５中のＭＡＣエンティティは、物理層ビーム測定結果に基づいてサービング／候補ビームに関する決定を下し、かつ、ｇＮＢ２０１（たとえば、ＮＷノード）中のピアＭＡＣエンティティにこれらの決定を通知する。別の方法として、ＮＷ制御ビーム管理の場合、ＵＥ２０５は、物理層ビーム測定結果に基づく尺度をｇＮＢ２０１中のＭＡＣエンティティに報告することもできる。ｇＮＢ２０１中のＭＡＣエンティティは、続いてサービング／候補ビームに関する決定を下し、かつ、ＵＥ２０５中のピアＭＡＣエンティティにこれらの決定を通知する。これらの決定をいずれのノード（たとえば、ＮＷノードまたはＵＥノード）においても行い得るハイブリッド方法も可能である。
【００４７】
本願において、ＮＲビーム管理プロシージャを可能にするために使用されるビーム測定報告コマンドおよびビーム管理コマンド（たとえば、ビーム測定、ビームトレーニングコマンド、ビームアラインメントコマンド、ビームトラッキングコマンド、ビーム追加コマンド、またはビーム解放コマンド）のための機構を規定する。
【００４８】
ＮＲビーム測定報告について以下において考察する（たとえば、表４、図２０〜図２８）。測定ノード（たとえば、ＮＷノードまたはＵＥノード）は、以下の１つまたは複数を含む報告設定により設定され得る。１）報告基準または２）報告フォーマット。報告基準は、測定ノードに報告をピアＭＡＣエンティティに送信開始させる基準である。この場合、報告は、周期的にまたは事象に基づいて報告されるように設定される。報告フォーマットは、中でも報告されるビームの本数または報告されるビームの種類（サービング、候補、または検出ビーム）など報告および関連情報に含まれる数量または尺度である。
【００４９】
報告を開始させるために使用される事象は、物理層測定、同期／非同期遷移、特定ブロック誤り率（block  error  rate：ＢＬＥＲ）閾値超過、無線リンク故障（Radio  Link  Failure：ＲＬＦ）検出、3GPP  TS  36.304において指定されている移動状態の変化、無線ベアラ（Radio  Bearers：ＲＢ）の追加または除去、ピアＭＡＣエンティティからの要求などに基づき得る。ビーム測定報告を開始させるために使用される典型的事象群を表４に示す。表４の事象は、その他のビーム管理コマンドの送信を開始させるためにも使用することができる。これらの事象は、ビームに基づく事象である。ＬＴＥの場合、これらの事象はセルに基づく。これらの事象のトリガは、ビームレベルにおける移動性管理を可能にするために役立つ。
【表４】
2019525644.tif 000006
【００５０】
さらに表４を参照する。ＮＲ−Ｄ８に関する例において、候補ビームがサービングビームより大きいオフセット（たとえば、閾値のオフセット）電力（たとえば、ＲＳＲＰ）をもっている場合、サービングビームを解放し、かつ、候補ビームを追加するような事象が引き起こされ得る。一例として、ＮＲ−Ｄ９に関して、サービングビームが第１閾値（たとえば、閾値１＝−６０ｄｂｍ）より悪くなり、かつ、候補ビームが第２閾値（たとえば、閾値２＝−５０ｄｂｍ）より良くなった場合、サービングビームを解放し、かつ、候補ビームを追加するような事象が引き起こされ得る。ＮＲ−Ｄ８およびＮＲ−Ｄ９の使用は、重要でない変動に基づく事象の過度の発生の低減に役立つ。
【００５１】
ＭＡＣ  ＣＥを使用してピアＭＡＣエンティティ間のビーム測定またはその他の指示（たとえば、ＮＲビームトレーニングコマンド）を通知することができる。典型的ＮＲビーム測定報告ＭＡＣ  ＣＥを図１５に示す。ＮＲビーム測定報告ＭＡＣ  ＣＥは、たとえば、表５または表６において指定されている論理チャネルＩＤ（logical  channel  ID：ＬＣＩＤ）をもつＭＡＣプロコトルデータユニット（protocol  data  unit：ＰＤＵ）サブヘッダにより識別することができる。ＬＴＥにおけるＭＡＣ  ＣＥの場合、このように規定されているフォーマットは存在しない。これらのフォーマットは、本願において開示されるビーム管理を可能にする詳細の一部である。
【００５２】
開示されるビーム測定ＭＡＣ  ＣＥの大きさは可変であり、Ｍとして規定される指定最大本数のビームの測定報告を含むことを可能にしている。別の方法として、ＭＡＣ  ＣＥの大きさを固定とし、報告対象のビームの本数がＭより小さい場合にパディングを行うこともできる。
【００５３】
測定が報告される各ビームについて、ビームＩｄおよび対応する測定数量、たとえば、ＮＲ−ＲＳＲＰ値が報告に含まれる。この報告は、各ビームがビームＩｄ、ＮＲ−ＲＳＲＰ、またはビームの種類に従って一覧表示されるように整理することができる（たとえば、最低ビームＩｄのビームを最初に報告する、最強ビームを最初に報告する、サービングビームを最初に報告するなど）。
【００５４】
報告において含まれるビームは、ビームＩｄ、ビームの種類、または測定結果に依存し得る。たとえば、測定ノードは、それが測定報告の対象とするべき一連のビームＩｄにより設定され得る。別の方法として、測定ノードは、ビームの種類（たとえば、サービングビーム、候補ビーム、または検出ビーム）に基づいてビームを報告するように設定され得る。ビーム測定ＭＡＣ  ＣＥの別案の例は、報告されるビームの種類を示すために使用されるｍビットからなるビームタイプフィールドを含み得る（たとえば、ｍ＝２の場合、００＝サービングビーム、０１＝候補ビーム、０２＝検出ビーム）。ビット数のより少ないフォーマット、すなわち、ビームタイプフィールドなしのフォーマットもいくつかの実施形態では選択され得る。測定数量と比較される閾値を使用して報告に含まれるべきビームを決定することもできる。
【表５】
2019525644.tif 000007
【表６】
2019525644.tif 000008
【００５５】
ＮＲビームトレーニングコマンドを使用してＮＲビームトレーニングプロシージャの開始を引き起こすことができる。典型的ＮＲビームトレーニングコマンドＭＡＣ  ＣＥを図１６に示す。ＮＲビームトレーニングコマンドＭＡＣ  ＣＥは、表５および表６に指定されているＬＣＩＤをもつＭＡＣ  ａ  ＰＤＵサブヘッダにより識別することができる。
【００５６】
開示されるＮＲビームトレーニングコマンドＭＡＣ  ＣＥの大きさは可変であり、Ｍとして規定されるビームの指定最大本数のビームＩｄを含むことができる。別の方法として、ＭＡＣ  ＣＥの大きさを固定とし、ビームトレーニングの対象となるビームの本数がＭより少ない場合にはパディングを使用することもできる。
【００５７】
開示されるＮＲビームトレーニングコマンドＭＡＣ  ＣＥは、以下のフィールドを含み得る。すなわち、Ｓ、Ｐ、ＲおよびビームＩＤ。この例では、Ｓはビームスウィーピング制御ビットとなる。Ｓビットは、ビームスウィーピングが行われるべき場合には“１”に設定され、その他の場合には“０”に設定される。Ｐは、ビーム対組み合わせ制御ビットに対応する。Ｐビットは、ビーム対組み合わせが行われるべき場合には“１”に設定され、その他の場合には“０”に設定される。Ｒは保留ビットであり、“０”に設定される。ビームＩＤは、ビームトレーニングのために使用されるべきビームおよび対応ＢＴ−ＲＳである。
【００５８】
ＮＲビームアラインメントコマンドを使用してＮＲビームアラインメントプロシージャの開始を引き起こすことができる。典型的なＮＲビームアラインメントコマンドＭＡＣ  ＣＥを図１７に示す。ＮＲビームアラインメントコマンドＭＡＣ  ＣＥは、表５および表６において指定されたＬＣＩＤをもつＭＡＣ  ａ  ＰＤＵサブヘッダにより識別され得る。
【００５９】
開示されるＮＲビームアラインメントコマンドＭＡＣ  ＣＥの大きさは可変であり、Ｍとして規定されるビームの指定最大本数のビームＩｄを含むことができる。別の方法として、ＭＡＣ  ＣＥの大きさを固定とし、ビームアラインメントの対象となるビームの本数がＭより少ない場合にはパディングを使用することもできる。開示されるＮＲビームアラインメントコマンドＭＡＣ  ＣＥは以下のフィールドを含み得る。ビームＩｄフィールドは、ビームアラインメントについて使用されるべきビームおよび対応ＢＴ−ＲＳを含み得る。Ｒフィールドは、”０”にセットされる保留ビットを含み得る。
【００６０】
ＮＲビームトラッキングコマンドを使用してＮＲビームトラッキングプロシージャの開始を引き起こすことができる。典型的なＮＲビームトラッキングコマンドＭＡＣ  ＣＥを図１８に示す。ＮＲビームアラインメントコマンドＭＡＣ  ＣＥは、表５および表６において指定されたＬＣＩＤをもつＭＡＣ  ａ  ＰＤＵサブヘッダにより識別され得る。
【００６１】
開示されるＮＲビームトラッキングコマンドＭＡＣ  ＣＥの大きさは可変であり、Ｍとして規定されるビームの指定最大本数のビームＩｄを含むことができる。別の方法として、ＭＡＣ  ＣＥの大きさを固定とし、ビームアラインメントの対象となるビームの本数がＭより少ない場合にはパディングを使用することもできる。
【００６２】
開示されるＮＲビームトラッキングコマンドＭＡＣ  ＣＥは、以下のフィールドを含み得る。ビームＩｄフィールドは、ビームアラインメントについて使用されるべきビームおよび対応ＢＴ−ＲＳを含み得る。Ｒフィールドは、”０”に設定される保留ビットを含み得る。
【００６３】
本願において説明するようにＮＲビーム追加または解放コマンドを使用してＵＥとＮＷノード（たとえば、ＴＲＰまたはｇＮＢ）間の通信のために使用される一連のサービングビームを（再）設定することができる。このコマンドを使用して１本または複数本のサービングビームを追加または解放することができる。サービングビームが解放された後、それは候補ビームと見なされ得る。ただしそれがサービングビーム基準を満たすことを条件とする。それがサービングビーム基準を満たさないが、依然として検出される場合、それは検出ビームと見なされる。
【００６４】
典型的なＮＲビーム追加または解放コマンドＭＡＣ  ＣＥを図１９に示す。ＮＲビーム追加または解放コマンドＭＡＣ  ＣＥは、表５および表６において指定されたＬＣＩＤをもつＭＡＣ  ａ  ＰＤＵサブヘッダにより識別され得る。開示されるＮＲビーム追加または解放コマンドＭＡＣ  ＣＥの大きさは可変であり、Ｍとして規定されるビームの指定最大本数のビームＩｄを含むことができる。別の方法として、ＭＡＣ  ＣＥの大きさを固定とし、追加／解放されるビームの本数がＭより少ない場合にはパディングを使用することもできる。開示されるＮＲビーム追加／解放コマンドＭＡＣ  ＣＥは、以下のフィールドを含み得る。すなわち、ビームＩＤおよびＡ／Ｒ。ビームＩＤについては、それは、追加または解放されるビームのＩｄと見なされ得る。Ａ／Ｒについては、それは、追加または解放ビットと見なされ得る。Ａ／Ｒビットについては、ビームが追加される場合には”０”に、かつ、ビームが追加される場合には”０”に、およびビームが解放される場合には“０”に設定される。
【００６５】
ＮＲビームトレーニングは、ＭＡＣにより設定され、かつ、制御され得るＰＨＹ層プロシージャである。このプロシージャを使用してＵＥノードまたはＮＷノード（たとえば、ＴＲＰ２０２またはｇＮＢ２０１）により送信されたビームを検出し、かつ、測定することができる。典型的ビームトレーニングコマンドを図１６に示す。それは、このコマンドを識別するＬＣＩＤおよびビームトレーニングの対象となるビームを示す１つまたは複数のビームＩｄから構成される。図２０は、ＮＲビームトレーニングに関する典型的方法を示す。ＮＲビームトレーニングは、ＵＥ２０５またはＮＷノード１９０からのＢＴ−ＲＳの送信を含み、かつ、これらのノードによりサポートされる場合にビームスウィーピングまたはビーム対組み合わせを含み得る。ビームスウィーピングは、ビームが時分割的にオン／オフに切り替えられるプロセスである。セルエリアをカバーするために必要なすべての高利得ビームを同時に伝送し得るシステムを構築することは困難であるので、これは高周波システムにおいて使用されることがある。
【００６６】
ビームトレーニングに使用されるＢＴ−ＲＳに対応する一連のビームＩｄが与えられ得る。別の方法として、送信ノードが、ＴＲＰ負荷、ビーム負荷、トラフィック分布、伝送リソース、ハードウェアリソース、または事業者規定方針に基づいて自立的にビームを選択することもできる。たとえば、ビームトレーニングコマンドは、ノードに既存ビームの方向変更または受信ノードの方向への新しいビームの送出を開始させることができる。この例において既存ビームの方向変更または新しいビームの送信のいずれを行うかは、負荷およびハードウェアリソース（たとえば、送信ノードのハードウェア能力、それは、同時にどれほど多くのビームを送出できるかに関係する）に依存するであろう。受信ノードは、一連のビームＩｄが与えられない場合、送信されたビームを盲目的に検出することができる。ピアＭＡＣエンティティ間の信号授受を使用してこのプロシージャを制御し、かつ、結果を報告することができる。盲目的検出とは、どの基準信号が送出されているか知らずにどの基準信号が実際に使用されているか決定するために多数の仮定を試す受信ノードを指し得る。
【００６７】
図２０は、ＮＲビームトレーニングに関する典型的方法を示す。ステップ２５１において、ＵＥ２０５のＭＡＣ１９５は、ＮＲビームトレーニングコマンドの送信から開始することができる。図２０に示す例では、ＮＲビームトレーニングコマンドは、ＵＥ２０５のＭＡＣ１９５からＮＷノード１９０のピアＭＡＣ１９８（たとえば、ＴＲＰ２０２）に伝送され得る。別の方法として、ＮＷノード１９０は、ＮＲビームトレーニングコマンドを送信してこのプロシージャの開始を引き起こすこともできる。ＮＲビームトレーニングコマンドは、ランダムアクセスチャネル、グラントレスチャネル、またはＵＥ２０５とＮＷノード１９０間の通信を与えるその他のチャネルを使用して送信され得る。ビームトレーニングのために使用されるＢＴ−ＲＳに対応する一連のビームＩｄを与えることができる。別の方法として、送信ノード（たとえば、ＮＷノード１９０またはＵＥ２０５）がＴＲＰ負荷、ビーム負荷、トラフィック分布、伝送リソース、ハードウェアリソース、または事業者規定方針に基づいて自立的にビームを選択することもできる。受信ノード（たとえば、ＵＥ２０５）は、一連のビームＩｄが与えられない場合に、送信されたビームを盲目的に検出し得る。
【００６８】
ステップ２５２において、ＮＷノード１９０は、ＵＥ２０５とのＤＬビームスウィーピングを行い得る。ステップ２５３において、ＵＥ２０５は、ＮＷノード１９０とのＵＬビームスウィーピングを行い得る。ビーム対組み合わせが望ましい状況において、受信ノードは、Ｒｘビームをスウィーピングして所与のＴｘビームと対として組み合わせるのに最も適するＲｘビームを決定することができる。ステップ２５４において、ＰＨＹ１９６は、ビーム測定結果をＵＥ２０５のＭＡＣ１９５に与えることができる。ステップ２５５において、ＰＨＹ１９７は、ビーム測定結果をＮＷノード１９０のＭＡＣ１９８に与えることができる。ステップ２５４またはステップ２５５は、ビームトレーニング中に（たとえば、ステップ２５１〜ステップ２５３）またはそれに続いて行われ得る。ステップ２５６において、ＵＥ２０５のＭＡＣ１９５は、ＮＲビーム測定報告をＮＷノード１９０のピアＭＡＣ１９８に伝えることができる。このステップ（および本願において他の図で示した他のＮＲビーム測定報告ステップ）は、本願の表４に関連して説明した基準／フォーマットに基づき得る。ステップ２５７において、ＮＷノード１９０のＭＡＣ１９８は、ＮＲビーム測定報告をＵＥ２０５のピアＭＡＣ１９５に伝え得る。ステップ２５６またはステップ２５７のＮＲビーム測定報告は、それぞれ、ステップ２５４またはステップ２５５からの情報を含むことができる。装置（たとえば、ＵＥ）が別の装置（たとえば、ｇＮＢ）にビームトレーニング基準信号の送信を開始させるビームトレーニングコマンドを発行した後に、これらの測定がかかる信号について行われ得ることが重要である。
【００６９】
ステップ２５１におけるビームトレーニングコマンドの送出の実行は、表４の事象の１つまたは複数（たとえば、ＮＲ−Ｄ２サービングビームの本数が閾値より少ない、ＮＲ−Ｄ４候補ビームの本数が閾値より少ない）により引き起こされ得る。たとえば、ＵＥは、周期的に測定を行うことができ、また、ＵＥ２０５は、事象が発生したときにその事象に応じて、現在および／または新しいビームからＢＴ−ＲＳの送信を開始させるビームトレーニングコマンドを送出することができる。ビームアラインメントコマンドまたはビームトラッキングコマンドのトリガも表４に示すようなトリガに基づき得る。
【００７０】
ＮＲビームアラインメントは、ＭＡＣにより設定され、かつ、制御され得るＰＨＹ層プロシージャである。ＮＲビームアラインメントを使用してビームのアラインメントを修正することができる。この修正は、ビーム幅、ビーム方向などの調整を含み得る。このプロシージャは、ビームを調整するために行われる（たとえば、プリコーディングマトリクスの調整）ＵＥまたはＮＷノードからのＢＴ−ＲＳの送信および受信ノードから送信ノードへのフィードバックを含み得る。アラインメントを必要とするビームに対応する一連のビームＩｄを与えることができる。別の方法として、一連のビームＩｄが明確に伝えられない場合、ノードは、アラインメントを必要とするビームはサービングビームとして設定されたビームであると仮定することができる。ピアＭＡＣエンティティ間の信号授受を使用してこのプロシージャを制御し、かつ、結果を報告することができる。
【００７１】
図２１は、ＮＲビームアラインメントに関する典型的方法を示す。ステップ２６１において、ＵＥ２０５のＭＡＣ１９５は、ＮＢビームアラインメントコマンドの送信から開始することができる。この場合、このコマンドの送信は、表４の事象の１つまたは複数により引き起こされ得る。図２１に示した例では、ＮＲビームアラインメントコマンドは、ＵＥ２０５のＭＡＣ１９５からＮＷノード１９０のピアＭＡＣ１９８に送信される。別の方法として、ＮＷノード１９０は、ＮＲビームアラインメントコマンドを送信してこのプロシージャの開始を引き起こすこともできる。ＮＲビームアラインメントコマンドは、ランダムアクセスチャネル、グラントレスチャネル、またはＵＥ２０５とＮＷノード１９０間の通信を与えるその他のチャネルを使用して送信し得る。ＮＲビームアラインメントコマンドは、アラインメントを必要とするビームに対応する一連のビームＩｄを含むことができる。別の方法として、一連のビームＩｄが明確に伝えられない場合、ノード（たとえば、ＵＥ２０５、しかし本願において想定されているＮＷノード１９０でもよい）は、デフォルト設定により、アラインメントを必要とするビームはサービングビームとして設定されたビームであると決定することができる。
【００７２】
ステップ２６２において、ＵＥ２０５のＰＨＹ１９６は、チャネル状態情報（Channel  State  Information：ＣＳＩ）報告をＮＷノード１９０のピアＰＨＹ１９７に伝えることができる。ステップ２６３において、ＮＷノード１９０のＰＨＹ１９７は、ＣＳＩ報告をＵＥ２０５のピアＰＨＹ１９６に伝えることができる。ＣＳＩ報告を使用してビームのアラインメントを修正することができる。たとえば、プリコーディングマトリクス、ビーム形成ウェイトなどを調整する。たとえば、ステップ２６４において、ＵＥ２０５は、ステップ２６３のＣＳＩ報告に基づいてプリコーディングマトリクスを調整する。ステップ２６５において、ＮＷノード１９０は、ステップ２６２のＣＳＩ報告に基づいてプリコーディングマトリクスを調整する。ステップ２６６において、ＵＥ２０５のＰＨＹ１９６は、ビーム測定結果をＵＥ２０５のＭＡＣ１９５に与えることができる。ステップ２６７において、ＮＷノード１９０のＰＨＹ１９７は、ビーム測定結果をＮＷノード１９０のＭＡＣ１９８に与えることができる。ステップ２６６またはステップ２６７は、ビームアラインメント中（たとえば、ステップ２６１〜ステップ２６４）またはその後に行われ得る。ステップ２６８において、ＵＥ２０５のＭＡＣ１９５は、ＮＲビーム測定報告をＮＷノード１９０のピアＭＡＣ１９８に伝えることができる。ステップ２６９において、ＮＷノード１９０のＭＡＣ１９８は、ＮＲビーム測定報告をＵＥ２０５のピアＭＡＣ１９５に伝えることができる。ステップ２６８またはステップ２６９のＮＲビーム測定報告は、それぞれ、ステップ２６６またはステップ２６７からの情報を含み得る。
【００７３】
ＮＲビームトラッキングは、ＭＡＣにより設定され、かつ、制御され得るＰＨＹ層プロシージャである。ＮＲビームトラッキングを使用してＵＥとＮＷノード間の通信のために使用されるビーム（たとえば、サービングビーム）のアラインメントを維持することができる。別の方法として、このプロシージャは、候補ビームのアラインメントを維持するためにも使用することができる。このプロシージャは、ＵＥまたはＮＷノードからのＢＴ−ＲＳの周期的送信またはビーム整列の維持（たとえば、プリコーディングマトリクスの調整）のための受信ノードから送信ノードへのフィードバックを含み得る。トラッキングを必要とするビームに対応する一連のビームＩｄを与えることができる。この場合、この一連のビームＩｄは、サービングビームまたは候補ビームの部分集合であり得る。別の方法として、一連のビームＩｄが明確に与えられない場合、ノードは、トラッキングを必要とするビームはサービングビームとして設定されたビームであると決定することができる。ピアＭＡＣエンティティ間の信号授受を使用してこのプロシージャを制御し、かつ、結果を報告することができる。
【００７４】
図２２は、ＮＲビームトラッキングに関する典型的な方法を示す。ＮＲビームトラッキングは、ステップ２７０において、ＮＢビームトラッキングコマンドの送信から開始することができる。この場合、このコマンドの送信は、表４の事象の１つまたは複数により引き起こされ得る。図２２に示した例では、ＮＲビームトラッキングコマンドは、ＵＥ２０５のＭＡＣ１９５からＮＷノード１９０のピアＭＡＣ１９８に送信される。別の方法として、ＮＷノード１９０は、ＮＲビームトラッキングコマンドを送信してこのプロシージャの開始を引き起こすこともできる。ＮＲビームトラッキングコマンドは、ランダムアクセスチャネル、グラントレスチャネル、またはＵＥ２０５とＮＷノード１９０間の通信を与えるその他のチャネルを使用して送信し得る。トラッキングを必要とするビームに対応する一連のビームＩｄを与えることができる。この場合、このビームＩｄの集合は、サービングビームまたは候補ビームの部分集合であり得る。別の方法として、一連のビームＩｄが明確に伝えられない場合、ノード（たとえば、ＵＥ２０５、しかし本願において想定されているＮＷノード１９０でもよい）は、トラッキングを必要とするビームはサービングビームとして設定されたビームであると決定することができる。
【００７５】
ステップ２７１において、ＵＥ２０５のＰＨＹ１９６は、ＣＳＩ報告をＮＷノード１９０のピアＰＨＹ１９７に伝えることができる。ステップ２７２において、ＮＷノード１９０のＰＨＹ１９７は、ＣＳＩ報告をＵＥ２０５のピアＰＨＹ１９６に伝えることができる。ＣＳＩ報告を使用してビームのアラインメントを修正することができる。たとえば、プリコーディングマトリクス、ビーム形成ウェイトなどを調整する。たとえば、ステップ２７３において、ＵＥ２０５は、ステップ２７２のＣＳＩ報告に基づいてプリコーディングマトリクスを調整する。ステップ２７４において、ＮＷノード１９０は、ステップ２７１のＣＳＩ報告に基づいてプリコーディングマトリクスを調整する。ステップ２７５において、ＵＥ２０５のＰＨＹ１９６は、ビーム測定結果をＵＥ２０５のＭＡＣ１９５に与えることができる。ステップ２７６において、ＮＷノード１９０のＰＨＹ１９７は、ビーム測定結果をＮＷノード１９０のＭＡＣ１９８に与えることができる。ステップ２７５またはステップ２７６は、ビームトラッキング中（たとえば、ステップ２７１〜ステップ２７３）またはその後に行われ得る。ステップ２７７において、ＵＥ２０５のＭＡＣ１９５は、ＮＲビーム測定報告をＮＷノード１９０のピアＭＡＣ１９８に伝えることができる。ステップ２７８において、ＮＷノード１９０のＭＡＣ１９８は、ＮＲビーム測定報告をＵＥ２０５のピアＭＡＣ１９５に伝えることができる。ステップ２７７またはステップ２７８のＮＲビーム測定報告は、それぞれ、ステップ２７５またはステップ２７６からの情報を含み得る。ステップ２７９において、一連の周期的ステップが受信ノードから送信ノードへのフィードバックを与え、それにより、たとえば、プリコーディングマトリクスの修正などによりビームのアラインメントを維持する。
【００７６】
ＮＲビーム設定は、ＵＥ２０５とＮＷノード２０９（たとえば、ｇＮＢまたはＴＲＰ）間の通信のために使用される一連のサービングビームを（再）設定するために使用することができるＭＡＣ層プロシージャである。このコマンドは、ＭＡＣ  ＣＥとして送信され得る。このプロシージャは、高信頼性の堅牢な通信を可能とするために役立てることができる。この機構がない場合、移動、妨害などのためにビームの品質が低下した場合、ＵＥ２０５は、ＮＷ１９０と通信不能となることがある。サービングビームを（再）設定する前に、ＮＲビームトレーニングプロシージャ、ＮＲビームアラインメントプロシージャまたはＮＲビームトラッキングプロシージャを実行してビームを評価し、かつ、ビーム設定に関する決定を下すための情報を収集することができる。図２３は、以下において論ずるＮＲビーム設定（ＵＥによる制御）に関する典型的な方法を示す。ＮＲビーム設定は、一般的にステップ２８１のＮＲビームトレーニングプロシージャ、ＮＲビームアラインメントプロシージャまたはＮＲビームトラッキングプロシージャの完了に続いて行われる。ビーム設定の決定（たとえば、ステップ２８５）は、これらのプロシージャからのＵＥ２０５およびＮＷ１９０測定結果に基づき得る。また、ＴＲＰ負荷、トラフィック分布、伝送リソース、ハードウェアリソース、または事業者規定方針などのその他の入力も考慮することができる。
【００７７】
ステップ２８２において、ＵＥ２０５のＰＨＹ１９６は、ビーム測定結果をＵＥ２０５のＭＡＣ１９５に与えることができる。ステップ２８３において、ＮＷノード１９０のＰＨＹ１９７は、測定結果をＮＷノード１９０のＭＡＣ１９８に与えることができる。ステップ２８４において、ＵＥ２０５のＭＡＣ１９５は、ＮＷノード１９０のピアＭＡＣ１９８からＮＲビーム測定報告を得ることができる。ステップ２８５において、ビームの評価および決定がＵＥ２０５により行われる。本願において開示されるように、ビームの評価および決定は、通信のために使用するべきビーム群を決定するためにビーム測定結果の順位付け、閾値との比較、表４の事象の１つまたは複数などを与え得る。ステップ２８６において、ＮＲビーム追加または解除コマンドがＵＥ２０５のＭＡＣ１９５からＮＷノード１９０のピアＭＡＣ１９８に送信される。ＮＲビーム追加または解除コマンドは、ランダムアクセスチャネル、グラントレスチャネルまたはＵＥとＮＷノード間の通信を与えるその他のチャネルを使用して送信することができる。
【００７８】
図２４は、以下において説明するＮＲビーム設定（ＮＷにより制御される）に関連する典型的方法を示す。ＮＲビーム設定は、一般的にステップ２９１のＮＲビームトレーニングプロシージャ、ＮＲビームアラインメントプロシージャ、またはＮＲビームトラッキングプロシージャの完了に続いて行われる。ビーム設定の決定（たとえば、ステップ２９５）は、これらのプロシージャからのＵＥ２０５測定結果またはＮＷ１９０測定結果に基づき得る。また、ＴＲＰ負荷、トラフィック分布、伝送リソース、ハードウェアリソース、または事業者規定方針などのその他の入力も考慮することができる。ステップ２９２において、ＵＥ２０５のＰＨＹ１９６は、ビーム測定結果をＵＥ２０５のＭＡＣ１９５に与え得る。ステップ２９３において、ＮＷノード１９０のＰＨＹ１９７は、ビーム測定結果をＮＷノード１９０のＭＡＣ１９８に与え得る。ステップ２９４において、ＮＷノード１９０のＭＡＣ１９８は、ＮＲビーム測定報告をＵＥ２０５のピアＭＡＣ１９５から入手することができる。ステップ２９５において、ビームの評価および決定がＮＷノード１９０により行われる。ビームの評価および決定は、ＮＷノード１９０により行われる。本願において開示されるように、ビームの評価および決定は、通信のために使用するべきビーム群を決定するためにビーム測定結果の順位付け、閾値との比較、表４の事象の１つまたは複数などを与える。ステップ２９６において、ＮＲビーム追加または解放コマンドがＮＷノード１９０のＭＡＣ１９８からＵＥ２０５のピアＭＡＣ１９５に送信される。ＮＲビーム追加または解除コマンドは、ランダムアクセスチャネル、グラントレスチャネルまたはＵＥとＮＷノード間の通信を与えるその他のチャネルを使用して送信することができる。
【００７９】
ＮＲビーム中枢ネットワークにおける初期アクセスのための典型的信号授受を図２５および図２６に示す。図２５に示した信号授受は、ＵＥ制御初期アクセスの場合であり、他方、図２６の信号授受は、ＮＷ制御初期アクセスの場合である。
【００８０】
図２５は、以下において論ずるＮＲ初期アクセス（ＵＥ制御）に関連する典型的方法を示す。ステップ３０１において、ＭＡＣ１９５は、ＮＲビームトレーニングコマンドをＭＡＣ１９８に送る。初期アクセスは、ＵＥのＭＡＣエンティティからＮＷノードのピアＭＡＣエンティティへのＮＲビームトレーニングコマンドの送信で始まる。ＮＲビームトレーニングコマンドは、ランダムアクセスチャネル、グラントレスチャネルまたはＵＥとＮＷノード間の通信を与えるその他のチャネルを使用して送信することができる。
【００８１】
ステップ３０２において、ＮＷノード１９０とＵＥ２０５の間にＮＲビームトレーニング（たとえば、図２０）が存在する。ステップ３０３において、ＵＥ２０５のＰＨＹ１９６は、ビーム測定結果をＵＥ２０５のＭＡＣ１９５に与えることができる。ステップ３０４において、ＮＷノード１９０のＰＨＹ１９７は、ビーム測定結果をＮＷノード１９０のＭＡＣ１９８に与えることができる。ビームトレーニング中またはそれに続いて、各ノードのＰＨＹ層は、ビーム測定結果をそれらそれぞれのＭＡＣ層に与えることができる。ステップ３０５において、ビームの評価および決定がＵＥ２０５により行われる。ＵＥは、ビームトレーニングからのビーム測定結果を評価する。ＵＥは、必要な場合に（たとえば、閾値測定に到達した場合）ビームアラインメントを実行することができる。ステップ３０６において、ＮＷノード１９０のＭＡＣ１９８は、ＵＥ２０５のＭＡＣ１９５からＮＲビームアラインメントコマンドを取得する。ステップ３０７において、ＮＷノード１９０とＵＥ２０５間にＮＲビームアラインメント（たとえば、図２１）が存在する。ステップ３０８において、ＵＥ２０５のＰＨＹ１９６は、ビーム測定結果をＵＥ２０５のＭＡＣ１９５に与えることができる。ステップ３０９において、ＮＷノード１９０のＰＨＹ１９７は、ビーム測定結果をＮＷノード１９０のＭＡＣ１９８に与えることができる。ビームアラインメント中またはそれに続いて、各ノードのＰＨＹ層は、ビーム測定結果をそれらそれぞれのＭＡＣ層に与えることができる。ステップ３１０において、ＵＥ２０５は、ステップ３０９のビーム測定結果に基づくビーム測定報告をＮＷノード１９０から取得することができる。ステップ３１１において、ビームの評価および決定がＵＥ２０５により行われる。ＵＥ２０５は、ビームトレーニングプロシージャおよびビームアラインメントプロシージャから由来するビーム測定結果を評価することができる。ＵＥ２０５は、ＮＲビーム設定（たとえば、図２３）を行う。
【００８２】
続いて図２５を参照する。ステップ３１２において、ＮＷノード１９０のＭＡＣ１９８は、ＵＥ２０５のＭＡＣ１９５からＮＲビーム追加または解放コマンドを入手することができる。ステップ３１３において、ＮＷノード１９０のＭＡＣ１９８は、ＵＥ２０５のＭＡＣ１９５からＮＲビームトラッキングコマンドを入手することができる。ステップ３１４において、ＵＥ２０５とＮＷノード１９０の間にＮＲビームトラッキング（たとえば、図２２）が存在し得る。ステップ３１５において、ＵＥ２０５のＰＨＹ１９６は、ビーム測定結果をＵＥ２０５のＭＡＣ１９５に与えることができる。ステップ３１６において、ＮＷノード１９０のＰＨＹ１９７は、ビーム測定結果をＮＷノード１９０のＭＡＣ１９８に与えることができる。ステップ３１７において、ＵＥ２０５は、ＮＷノード１９０からステップ３１６のビーム測定結果に基づくビーム測定報告を入手することができる。
【００８３】
図２６は、以下において説明するＮＷ制御初期アクセスに関連する典型的方法を示す。ステップ３２１において、ＭＡＣ１９５は、ＮＲビームトレーニングコマンドをＭＡＣ１９８に送る。初期アクセスは、ＵＥのＭＡＣエンティティからＮＷノードのピアＭＡＣエンティティへのＮＲビームトレーニングコマンドの送信で始まる。ＮＲビームトレーニングコマンドは、ランダムアクセスチャネル、グラントレスチャネルまたはＵＥ２０５とＮＷノード１９０間の通信を与えるその他のチャネルを使用して送信することができる。
【００８４】
ステップ３２２において、ＮＷノード１９０とＵＥ２０５の間にＮＲビームトレーニング（たとえば、図２０）が存在する。ステップ３２３において、ＵＥ２０５のＰＨＹ１９６は、ビーム測定結果をＵＥ２０５のＭＡＣ１９５に与えることができる。ステップ３２４において、ＮＷノード１９０のＰＨＹ１９７は、ビーム測定結果をＮＷノード１９０のＭＡＣ１９８に与えることができる。ビームトレーニング中またはそれに続いて、各ノードのＰＨＹ層は、ビーム測定結果をそれらのそれぞれのＭＡＣ層に与えることができる。ステップ３２５において、ビームの評価および決定がＮＷノード１９０により行われる。ＮＷノード１９０は、ビームトレーニングからのビーム測定結果を評価する。ＮＷノード１９０は、必要な場合、ビームアラインメントを行うことができる。ステップ３２６において、ＮＷノード１９０のＭＡＣ１９８は、ＮＷノード１９０のＭＡＣ１９８からＮＲビームアラインメントコマンドを入手する。ステップ３２７において、ＮＷノード１９０とＵＥ２０５の間にＮＲビームアラインメント（たとえば、図２１）が存在する。ステップ３２８において、ＵＥ２０５のＰＨＹ１９６は、ビーム測定結果をＵＥ２０５のＭＡＣ１９５に与えることができる。ステップ３２９において、ＮＷノード１９０のＰＨＹ１９７は、ビーム測定結果をＮＷノード１９０のＭＡＣ１９８に与えることができる。ビームアラインメント中またはそれに続いて、各ノードのＰＨＹ層は、ビーム測定結果をそれらそれぞれのＭＡＣ層に与えることができる。ステップ３３０において、ＵＥ２０５は、ステップ３２８のビーム測定結果に基づいてビーム測定報告をＮＷノード１９０に送ることができる。ステップ３１１において、ビームの評価および決定がＮＷノード１９０により行われる。ＮＷノード１９０は、ビームトレーニングプロシージャおよびビームアラインメントプロシージャからのビーム測定結果を評価することができる。そしてＮＷノード１９０は、ＮＲビーム設定（たとえば、図２３）を行う。
【００８５】
続いて図２５を参照する。ステップ３３２において、ＮＷノード１９０のＭＡＣ１９８は、ＮＲビーム追加または解放コマンドをＵＥ２０５のＭＡＣ１９５に送ることができる。ステップ３３３において、ＮＷノード１９０のＭＡＣ１９８は、ＮＲビームトラッキングコマンドをＵＥ２０５のＭＡＣ１９５に送ることができる。ステップ３３４において、ＵＥ２０５とＮＷノード１９０の間にＮＲビームトラッキング（たとえば、図２２）が存在し得る。ステップ３３５において、ＵＥ２０５のＰＨＹ１９６は、ビーム測定結果をＵＥ２０５のＭＡＣ１９５に与えることができる。ステップ３３６において、ＮＷノード１９０のＰＨＹ  １９７は、ビーム測定結果をＮＷノード１９０のＭＡＣ１９８に与えることができる。ステップ３３７において、ＵＥ２０５は、ステップ３３５のビーム測定結果に基づいてＮＲビーム測定報告をＮＷノード１９０に送ることができる。
【００８６】
ＮＲビーム中枢ネットワークにおける移動性管理のための典型的信号授受を図２７および図２８に示す。図２７に示した信号授受はＵＥ制御移動性管理の場合であり、他方図２８に示した信号授受はＮＷ制御移動性の場合である。
【００８７】
図２７は、以下において説明するＮＲ移動性管理（ＵＥ制御）に関する典型的方法を示す。ＮＷノード１９０との接続を確立した後（ステップ３４１）、ＵＥ２０５は、ステップ３４５において、ＰＨＹ層により与えられた（たとえば、ステップ３４２）ビーム測定結果を評価することができる。ビーム測定結果（ステップ３４３および３４４）は、ピアＭＡＣエンティティ（たとえば、ＮＷノード１９０のＭＡＣ１９８）により与えられ、かつ、評価され得る。もしまだ実行されていない場合には、ＵＥ２０５は、ＮＲビームトラッキングコマンド（ステップ３４６）をＮＷノード１９０のピアＭＡＣ１９８に送ることによりＮＲビームトラッキングプロシージャ（ステップ３４７）の開始を引き起こすことができる。ＮＲビームトラッキングプロシージャの開始を引き起こす理由は、以下を含むがこれらのみには限られない。１）１本または複数本のサービングビームがもはやサービングビーム基準を満たさない。または２）3GPP  TS  36.304において規定されている通常移動状態から中程度移動状態または高度移動状態への移行などのＵＥ移動状態の変化。ＵＥ２０５は、サービング基準が再び満たされた場合、１本または複数本のビームのビームトラッキングを中止することができる。別の方法として、ビームトラッキングは周期的に実行される方法により継続することもできる。
【００８８】
続いて図２７を参照する。たとえば、１本または複数本のサービングビームについて基準が所定の継続時間にわたり満たされない場合、ＵＥ２０５は、１本または複数本のサービングビームを追加または解放することにより（ステップ３４９）ビーム設定を更新することができる。追加されるビームは、候補ビームのリストから選択することができる。解放されるビームは、設定閾値を下回るＮＲ−ＲＳＲＰをもつビームとすることができる。追加する候補ビームが存在しない場合、ＵＥ２０５は、追加ビームを検出するためにＮＲビームトレーニングプロシージャ（ステップ３５０およびステップ３５１）の開始を引き起こすことができる。ステップ３５２において、ＵＥ２０５は、別のビーム評価を行い、かつ、決定を下し得る。この決定は、新しく検出されたビームをアラインメントするＮＲビームアラインメントプロシージャ（ステップ３５３およびステップ３５４）の開始のＵＥ２０５による起動を含み得る。ＵＥ２０５は、新しく検出されたビームを評価してそれらのいずれかがサービングビーム基準を満たし、かつ、候補ビームと認められるか否か決定することができる（ステップ３５５）。ＵＥ２０５は、次にステップ３５６において、１本または複数本の候補ビームのサービングビームとしての設定を引き起こす。
【００８９】
図２８は、以下において説明するＮＲ移動管理（ＮＷ制御）に関する典型的な方法を示す。ＵＥ２０５がＮＷノード１９０との接続を確立した後（ステップ３６１において）、ＮＷノード１９０は、ＰＨＹ層により与えられたビーム測定結果を評価する（ステップ３６２、ステップ３６３、ステップ３６４、ステップ３６５）。ＵＥ２０５のピアＭＡＣ１９５により与えられたビーム測定結果も評価され得る。もしまだ実行されていない場合、ＮＷノード１９０は、ＮＲビームトラッキングコマンド（ステップ３６６）をＵＥ２０５のピアＭＡＣ１９５に送ることによりＮＢビームトラッキングプロシージャ（ステップ３６７）の開始を引き起こすことができる。ＮＲビームトラッキングプロシージャの開始を引き起こす理由は、以下を含み得るが、これらのみには限られない。１）１本または複数本のサービングビームがもはやサービングビーム基準を満たさない。または２）3GPP  TS  36.304において規定されている通常移動状態から中程度移動状態または高度移動状態への移行などのＵＥ移動状態の変化。ＮＷノード１９０は、サービング基準が再び満たされた場合、１本または複数本のビームのビームトラッキングを中止することができる（ステップ３６８）。別の方法として、ビームトラッキングは周期的に実行される方法により継続することもできる。
【００９０】
続いて図２８を参照する。たとえば、１本または複数本のサービングビームについて基準が所定の継続時間にわたり満たされない場合、ＮＷノード１９０は、１本または複数本のサービングビームを追加または解放することにより（ステップ３６９）ビーム設定を更新することができる。追加されるビームは、候補ビームのリストから選択することができる。解放されるビームは、設定閾値を下回るＮＲ−ＲＳＲＰをもつビームとすることができる。追加する候補ビームが存在しない場合、ＮＷノード１９０は、追加ビームを検出するためにＮＲビームトレーニングプロシージャ（ステップ３７０およびステップ３７１）の開始を引き起こすことができる。ステップ３７２の評価および決定に基づいて、ＮＷノード１９０は、ＮＲビームアラインメントプロシージャ（ステップ３７３およびステップ３７４）の開始を引き起こして新しく検出されたビームのアラインメントを行うことができる。ステップ３７５において、ＮＷノード１９０は、新しく検出されたビームを評価してそれらのいずれかがサービングビーム基準を満たし、かつ、候補ビームと認められるか否か決定することができる。ＮＷノード１９０は、次に、ＮＲビーム追加または解放を含んでいるステップ３７６などによる１本または複数本の候補ビームのサービングビームとしての設定を引き起こすことができる。
【００９１】
本願においては、無線通信セッションの全期間にわたり測定結果の周期的通信が行われ得ることを想定している。特定の閾値に達した測定結果は、中でもＮＲビームトレーニング、ＮＲビームアラインメント、ＮＲビームトラッキング、またはＮＲビーム設定を含むＮＲビーム管理プロシージャのいずれかを引き起こし得る。
【００９２】
図３０は、本願において論ずる方法およびシステムに基づいて生成され得る典型的な表示（たとえば、グラフィカルユーザインターフェース）を示す。表示インターフェース９０１（たとえば、タッチスクリーンディスプレイ）は、ビーム管理に関するブロック９０２中に表４〜表６のパラメータのようなテキストを与えることができる。別の例では、本願において説明したステップのいずれかの進捗（たとえば、送られたメッセージまたはステップの正常完了）をブロック９０２中に表示することができる。また、グラフィカル出力９０３は、表示インターフェース９０１上に表示され得る。グラフィカル出力９０３は、一群の機器の接続形態、本願において説明した方法またはシステムの進捗のグラフィカル出力、または同様なものとすることができる。
【００９３】
第３世代パートナーシッププロジェクト（3rd  Generation  Partnership  Project：３ＧＰＰ）は、無線アクセス、コア伝送ネットワーク、およびサービス能力を含むセルラ通信ネットワーク技術の技術標準を開発している（コーデック、セキュリティ、サービス品質に関する作業を含む）。最近のＲＡＴの標準は、ＷＣＤＭＡ（登録商標）（一般に“３Ｇ”と称される）、ＬＴＥ（一般に“４Ｇ”と称される）、およびＬＴＥアドバンストの標準を含む。３ＧＰＰは、ＮＲと呼ばれ、“５Ｇ”とも称される次世代セルラ技術の標準化に関する作業を開始した。３ＧＰＰ  ＮＲ標準開発は、次世代無線アクセス技術（新しいＲＡＴ）の定義を含むと期待されている。後者は、６ＧＨｚ未満以下の新しい柔軟な無線アクセスの提供および６ＧＨｚ超の新しいウルトラモバイル広帯域無線アクセスの提供を含むと期待されている。この柔軟な無線アクセスは、６ＧＨｚ未満の新しいスペクトルにおける新しい後方非互換無線アクセスから構成されると期待される。それは、多様な要件をもつ一連の幅広い３ＧＰＰ  ＮＲ使用例に対処するために同一スペクトルに多重化され得る種々の動作モードを含むことも期待されている。ウルトラモバイル広帯域は、センチメートル波およびミリメートル波のスペクトルを含むと期待されている。それらは、たとえば、屋内用およびホットスポットのためにウルトラモバイル広帯域アクセスの機会を与えるであろう。特に、ウルトラモバイル広帯域は、センチメートル波およびミリメートル波固有の設計最適化により６ＧＨｚ未満の柔軟な無線アクセスと共通の設計フレームワークを共有することが期待される。
【００９４】
３ＧＰＰは、ＮＲがサポートすると期待されている種々の使用例を明確にしてきており、その結果、データ転送速度、遅延時間、および移動性に関する多種多様のユーザエクスペリエンス要件が明らかになっている。これらの使用例は、以下の一般的分類を含む。高速大容量モバイルブロードバンド（たとえば、稠密エリアにおける広帯域アクセス、屋内ウルトラ広帯域アクセス、混雑エリアにおける広帯域アクセス、あらゆる場所における５０＋Ｍｂｐｓ、ウルトラ低コスト広帯域アクセス、車両搭載モバイル広帯域）、クリティカル通信、大容量マシンタイプ通信、ネットワーク操作（たとえば、ネットワークのスライシング、ルーティング、移行および相互作用、エネルギー節約）、および高度車車間／路車間（Enhanced  vehicle-to-everything：ｅＶ２Ｘ）通信。これらの範疇における特定のサービスおよびアプリケーションは、いくつか例をあげると、たとえば、監視および検知を行うネットワーク、機器遠隔制御、両方向遠隔制御、パーソナルクラウドコンピュータ利用、ビデオストリーミング、無線クラウド利用オフィス、第１応答者接続、車両緊急通報システム、災害緊急通報システム、リアルタイムゲーム、多人数ビデオ通話、全自動運転、拡張現実、タッチインターネット、および仮想現実。これらの使用例のすべておよびその他が本願において考慮されている。
【００９５】
図２９Ａは、本願において記述され、かつ、請求されている方法および装置による例示通信システム１００を示している。図示されているように、この例示通信システム１００は、無線送信／受信装置（wireless  transmit/receive  units：ＷＴＲＵ）１０２ａ、１０２ｂ、１０２ｃ、または１０２ｄ（これらは一般的にまたはまとめてＷＴＲＵ１０２と呼ばれる）、ＲＡＮ１０３／１０４／１０５／１０３ｂ／１０４ｂ／１０５ｂ、コアネットワーク１０６／１０７／１０９、公衆交換電話ネットワーク（public  switched  telephone  network：ＰＳＴＮ）１０８、インターネット１１０、およびその他のネットワーク１１２を含み得る。重要なこととして、本願における開示主題事項は、様々なこれらのＷＴＲＵ、基地局、ネットワーク、またはネットワーク要素の例である。ＷＴＲＵ１０２は、図２０〜図２８などの本願開示ＵＥと関係付けることができる。ＷＴＲＵ１０２ａ、１０２ｂ、１０２ｃ、１０２ｄ、１０２ｅのそれぞれは、無線環境において動作または通信するよう構成された任意の種類の装置または機器とすることができる。ＷＴＲＵ１０２ａ、１０２ｂ、１０２ｃ、１０２ｄ、１０２ｅのそれぞれは、図２９Ａ〜図２９Ｅにおいてハンドヘルド無線通信装置として描かれているが、当然のことながら５Ｇ無線通信向けに考えられている多種多様の使用例では、各ＷＴＲＵは、無線信号を送信または受信するように構成された任意の種類の装置または機器を含むかまたはそれに含まれ得る。これらは、単なる例示であるが、以下を含む。ＵＥ、移動局、固定または移動加入者装置、ページャ、セルラ電話機、個人用デジタル補助装置（personal  digital  assistant：ＰＤＡ）、スマートフォン、ラップトップ、タブレット、ネットブック、ノートブックコンピュータ、パソコン、無線センサ、家庭用電化製品、スマートウオッチまたはスマート衣服のようなウェアラブル機器、医療またはＥヘルス機器、ロボット、産業装置、ドローン、乗用車、トラック、列車、または航空機のような乗り物、および同様なもの。
【００９６】
通信システム１００は、基地局１１４ａおよび基地局１１４ｂも含み得る。基地局１１４ａは、コアネットワーク１０６／１０７／１０９、インターネット１１０、および／またはその他のネットワーク１１２などの１つまたは複数の通信ネットワークへのアクセスを容易にするために少なくとも１つのＷＴＲＵ１０２ａ、１０２ｂ、１０２ｃと無線でインターフェースするように構成された任意の種類の機器とすることができる。基地局１１４ｂは、コアネットワーク１０６／１０７／１０９、インターネット１１０、および／またはその他のネットワーク１１２などの１つまたは複数の通信ネットワークへのアクセスを容易にするために少なくとも１つの遠隔無線ヘッド（Remote  Radio  Head：ＲＲＨ）１１８ａ、１１８ｂおよび／またはＴＲＰ１１９ａ、１１９ｂと有線および／または無線でインターフェースするように構成された任意の種類の機器とすることができる。ＲＲＨ１８ａ、１１８ｂは、コアネットワーク１０６／１０７／１０９、インターネット１１０、および／またはその他のネットワーク１１２などの１つまたは複数の通信ネットワークへのアクセスを容易にするために少なくとも１つのＷＴＲＵ１０２ｃと無線でインターフェースするように構成された任意の種類の機器とすることができる。ＴＲＰ１１９ａ、１１９ｂは、コアネットワーク１０６／１０７／１０９、インターネット１１０、および／またはその他のネットワーク１１２などの１つまたは複数の通信ネットワークへのアクセスを容易にするために少なくとも１つのＷＴＲＵ１０２ｄと無線でインターフェースするように構成された任意の種類の機器とすることができる。単なる例示であるが、基地局１１４ａ、１１４ｂは、基地トランシーバ局（base  transceiver  station：ＢＴＳ）、ノードＢ、ｅノードＢ、ホームノードＢ、ホームｅノードＢ、サイトコントローラ、アクセスポイント（access  point：ＡＰ）、無線ルータなどとすることができる。基地局１１４ａ、１１４ｂは、それぞれ、単一の要素として描かれているが、重要なこととして基地局１１４ａ、１１４ｂは、任意の個数の相互接続基地局またはネットワーク要素を含み得る。
【００９７】
基地局１１４ａは、ＲＡＮ１０３／１０４／１０５の一部とすることができるが、これらも、基地局コントローラ（base  station  controller：ＢＳＣ）、無線ネットワークコントローラ（radio  network  controller：ＲＮＣ）、中継ノードなどのような他の基地局またはネットワーク要素（示されていない）を含むことができる。基地局１１４ｂは、ＲＡＮ１０３ｂ／１０４ｂ／１０５ｂの一部とすることができるが、これらも、ＢＳＣ、ＲＮＣ、中継ノードなどのような他の基地局および／またはネットワーク要素（示されていない）を含むことができる。基地局１１４ａは、セルと呼ばれる特定の地理的エリア（示されていない）内において無線信号を送信および／または受信するために構成され得る。基地局１１４ｂは、セルと呼ばれる特定の地理的エリア（示されていない）内において有線および／または無線信号を送信および／または受信するために構成され得る。セルは、さらにセルセクタに分割され得る。たとえば、基地局１１４ａに関係するセルは、３つのセクタに分割され得る。したがって、ある例では、基地局１１４ａは、３つのトランシーバ、たとえば、セルの各セクタについて１つを含み得る。ある例では、基地局１１４ａは、多入力多出力（multiple-input  multiple  output：ＭＩＭＯ）技術を使用し、したがって、セルの各セクタのために多数のトランシーバを利用することができる。
【００９８】
基地局１１４ａは、無線インターフェース１１５／１１６／１１７経由で１つまたは複数のＷＴＲＵ１０２ａ、１０２ｂ、１０２ｃと通信し得るが、これらのインターフェースは任意の適切な無線通信リンク（たとえば、無線周波数（radio  frequency：ＲＦ）、マイクロウェーブ、赤外線（infrared：ＩＲ）、紫外線（ultraviolet：ＵＶ）、可視光線、センチメートル波、ミリメートル波など）とすることができる。無線インターフェース１１５／１１６／１１７は、任意の適切なＲＡＴを使用して設定することができる。
【００９９】
基地局１１４ｂは、有線または無線インターフェース１１５ｂ／１１６ｂ／１１７ｂ経由で１つまたは複数のＲＲＨ１１８ａ、１１８ｂおよび／またはＴＲＰ１１９ａ、１１９ｂと通信し得るが、これらのインターフェースは任意の適切な有線リンク（たとえば、ケーブル、光ファイバなど）または無線通信リンク（たとえば、ＲＦ、マイクロウェーブ、ＩＲ、ＵＶ、可視光線、センチメートル波、ミリメートル波など）とすることができる。無線インターフェース１１５ｂ／１１６ｂ／１１７ｂは、任意の適切なＲＡＴを使用して設定することができる。
【０１００】
ＲＲＨ１１８ａ、１１８ｂおよび／またはＴＲＰ１１９ａ、１１９ｂは、無線インターフェース１１５ｃ／１１６ｃ／１１７ｃ経由で１つまたは複数のＷＴＲＵ１０２ｃ、１０２ｄと通信し得るが、これらのインターフェースは任意の適切な無線通信リンク（たとえば、ＲＦ、マイクロウェーブ、ＩＲ、ＵＶ、可視光線、センチメートル波、ミリメートル波など）とすることができる。無線イターフェース１１５ｃ／１１６ｃ／１１７ｃは、任意の適切なＲＡＴを使用して設定することができる。
【０１０１】
より具体的には、上述したように、通信システム１００は多重アクセスシステムとすることができ、かつ、それはＣＤＭＡ、ＴＤＭＡ、ＦＤＭＡ、ＯＦＤＭＡ、ＳＣ−ＦＤＭＡなどのような１つまたは複数のチャネルアクセス方式を使用し得る。たとえば、ＲＡＮ１０３／１０４／１０５中の基地局１１４ａおよびＷＴＲＵ１０２ａ、１０２ｂ、１０２ｃ、またはＲＡＮ１０３ｂ／１０４ｂ／１０５ｂ中のまたはＲＲＨ１１８ａ、１１８ｂおよびＴＲＰ１１９ａ、１１９ｂおよびＷＴＲＵ１０２ｃ、１０２ｄは、ユニバーサルモバイルテレコミュニケーションシステム（Universal  Mobile  Telecommunications  System：ＵＭＴＳ）地上波無線アクセス（Terrestrial  Radio  Access：ＵＴＲＡ）などの無線技術を実現することができる。後者は、それぞれ、広帯域ＣＤＭＡ（ＷＣＤＭＡ）を使用する無線インターフェース１１５／１１６／１１７または１１５ｃ／１１６ｃ／１１７ｃを設定することができる。ＷＣＤＭＡは、高速パケットアクセス（High-Speed  Packet  Access：ＨＳＰＡ）または発展型ＨＳＰＡ（Evolved  HSPA：ＨＳＰＡ＋）などの通信プロコトルを含み得る。ＨＳＰＡは、高速ダウンリンクパケットアクセス（High-Speed  Downlink  Packet  Access：ＨＳＤＰＡ）または高速アップリンクパケットアクセス（High-Speed  Uplink  Packet  Access：ＨＳＵＰＡ）を含み得る。
【０１０２】
ある例では、基地局１１４ａおよびＷＴＲＵ１０２ａ、１０２ｂ、１０２、またはＲＡＮ１０３ｂ／１０４ｂ／１０５ｂ中のＲＲＨ１１８ａ、１１８ｂおよびＴＲＰ１１９ａ、１１９ｂおよびＷＴＲＵ１０２ｃ、１０２ｄ、ｃは、進化型ＵＭＴＳ地上波無線アクセス（Evolved  UMTS  Terrestrial  Radio  Access：Ｅ−ＵＴＲＡ）などの無線技術を実現することができる。後者は、それぞれ、ロングタームエボリューション（Long  Term  Evolution：ＬＴＥ）またはＬＴＥアドバンスト（LTE-Advanced：ＬＴＥ−Ａ）を使用する無線インターフェース１１５／１１６／１１７または１１５ｃ／１１６ｃ／１１７ｃを設定することができる。将来、無線インターフェース１１５／１１６／１１７は、３ＧＰＰ  ＮＲ技術を実現するであろう。
【０１０３】
ある例では、ＲＡＮ１０３／１０４／１０５中の基地局１１４ａおよびＷＴＲＵ１０２ａ、１０２ｂ、１０２ｃ、またはＲＡＮ１０３ｂ／１０４ｂ／１０５ｂ中のＲＲＨ１１８ａ、１１８ｂおよびＴＲＰ１１９ａ、１１９ｂおよびＷＴＲＵ１０２ｃ、１０２ｄ、は、以下のような無線技術を実現するであろう。ＩＥＥＥ８０２．１６（たとえば、ワイマックス（Worldwide  Interoperability  for  Microwave  Access：ＷｉＭＡＸ））、ＣＤＭＡ２０００、ＣＤＭＡ２０００  １Ｘ、ＣＤＭＡ２０００  ＥＶ−ＤＯ、暫定標準２０００（Interim  Standard  2000：ＩＳ−２０００）、暫定標準９５（Interim  Standard  2000：ＩＳ−９５）、暫定標準８５６（Interim  Standard  856：ＩＳ−８５６）、移動通信グローバルシステム（Global  System  for  Mobile  communications：ＧＳＭ（登録商標））、ＧＳＭ進化型高速データレート（Enhanced  Data  rates  for  GSM  Evolution：ＥＤＧＥ）、ＧＳＭ  ＥＤＧＥ（ＧＥＲＡＮ）など。
【０１０４】
本願において開示されるビーム管理の方法およびシステムを実現するために、図２９Ａの基地局１１４ｃは、たとえば、無線ルータ、ホームノードＢ、ホームｅノードＢまたはアクセスポイントとすることができ、かつ、それは、事業所、家庭、乗り物、キャンパスなどのような局限された領域における無線接続を容易にするために適切なＲＡＴを利用することができる。ある例では、基地局１１４ｃおよびＷＴＲＵ１０２ｅは、ＩＥＥＥ８０２．１１などの無線技術を実現することにより無線ローカルエリアネットワーク（wireless  local  area  network：ＷＬＡＮ）を構築することができる。ある例では、基地局１１４ｃおよびＷＴＲＵ１０２ｄは、ＩＥＥＥ８０２．１５などの無線技術を実現することにより無線パーソナルエリアネットワーク（wireless  personal  area  network：ＷＰＡＮ）を構築することができる。さらに別の例では、基地局１１４ｃおよびＷＴＲＵ１０２ｅは、セルラＲＡＴ（たとえば、ＷＣＤＭＡ、ＣＤＭＡ２０００、ＧＳＭ、ＬＴＥ、ＬＴＥ−Ａなど）を利用することによりピコセルまたはフェムトセルを設定することができる。図２９Ａに示すように、基地局１１４ｂは、インターネット１１０との間に直接接続をもつことができる。したがって、基地局１１４ｃは、コアネットワーク１０６／１０７／１０９を経由せずにインターネット１１０にアクセスすることができる。
【０１０５】
ＲＡＮ１０３／１０４／１０５またはＲＡＮ１０３ｂ／１０４ｂ／１０５ｂは、コアネットワーク１０６／１０７／１０９と通信することができる。これらのコアネットワークは、１つまたは複数のＷＴＲＵ１０２ａ、１０２ｂ、１０２ｃ、１０２ｄに音声、データ、アプリケーション、またはボイスオーバーインターネットプロコトル（voice  over  internet  protocol：ＶｏＩＰ）サービスを提供するように構成された任意の種類のネットワークであり得る。たとえば、コアネットワーク１０６／１０７／１０９は、呼制御、課金業務、モバイル位置情報サービス、プリペイド通話、インターネット接続、映像配信などを行うことができ、さらに、ユーザ認証のような高いレベルのセキュリティ機能を果たすこともできる。
【０１０６】
図２９Ａには示されていないが、重要なこととして、ＲＡＮ１０３／１０４／１０５またはＲＡＮ１０３ｂ／１０４ｂ／１０５ｂまたはコアネットワーク１０６／１０７／１０９は、ＲＡＮ１０３ｂ／１０４ｂ／１０５ｂと直接通信すること、またはＲＡＮ１０３／１０４／１０５と同じＲＡＴまたは異なるＲＡＴを使用する他のＲＡＮと間接に通信することができる。たとえば、Ｅ−ＵＴＲＡ無線技術を利用することができるＲＡＮ１０３／１０４／１０５またはＲＡＮ１０３ｂ／１０４ｂ／１０５ｂと接続されることに加えて、コアネットワーク１０６／１０７／１０９は、ＧＳＭ無線技術を使用している別のＲＡＮ（示されていない）とも通信することができる。
【０１０７】
コアネットワーク１０６／１０７／１０９は、ＷＴＲＵ１０２ａ、１０２ｂ、１０２ｃ、１０２ｄ、１０２ｅがＰＳＴＮ１０８、インターネット１１０、または他のネットワーク１１２にアクセスするためのゲートウェイとしての役割も果たし得る。ＰＳＴＮ１０８は、基本電話サービス（plain  old  telephone  service：ＰＯＴＳ）を提供する回線交換電話ネットワークを含み得る。インターネット１１０は、伝送制御プロコトル（transmission  control  protocol：ＴＣＰ）、ユーザデータグラムプロコトル（user  datagram  protocol：ＵＤＰ）およびＴＣＰ／ＩＰインターネットプロコトル群中のインターネットプロコトル（internet  protocol：ＩＰ）などの共通の通信プロコトルを使用する相互接続コンピュータネットワークおよび機器からなるグローバルシステムを含み得る。ネットワーク１１２は、他のサービス提供業者により所有または運用される有線または無線通信ネットワークを含み得る。たとえば、ネットワーク１１２は、ＲＡＮ１０３／１０４／１０５またはＲＡＮ１０３ｂ／１０４ｂ／１０５ｂと同じＲＡＴまたは異なるＲＡＴを使用することができる１つまたは複数のＲＡＮに接続される別のコアネットワークを含み得る。
【０１０８】
通信システム１００中のＷＴＲＵ１０２ａ、１０２ｂ、１０２ｃ、１０２ｄの一部または全部は、マルチモード機能を含むことができる。たとえば、ＷＴＲＵ１０２ａ、１０２ｂ、１０２ｃ、１０２ｄ、および１０２ｅは、本願において開示されるビーム管理の方法およびシステムを実現するために、種々の無線リンク経由で種々の無線ネットワークと通信する多数のトランシーバを含み得る。たとえば、図２９Ａに示したＷＴＲＵ１０２ｅは、セルラ無線技術を使用し得る無線基地局１１４ａおよびＩＥＥＥ８０２無線技術を使用し得る基地局１１４ｃと通信するように構成され得る。
【０１０９】
図２９Ｂは、本願において開示されるビーム管理の方法およびシステムの実施形態に従って無線通信を行うように構成された装置または機器の例、たとえばＷＴＲＵ１０２（たとえば、ＵＥ２０５）を示すブロック図である。図２９Ｂに示されているように、例示ＷＴＲＵ１０２は、プロセッサ１１８、トランシーバ１２０、送信／受信要素１２２、スピーカ／マイクロフォン１２４、キーパッド１２６、ディスプレイ／タッチパッド／インジケータ１２８、ノンリムーバブルメモリ１３０、リムーバブルメモリ１３２、電源１３４、全地球測位システム（global  positioning  system：ＧＰＳ）チップセット１３６、およびその他の周辺機器１３８を含み得る。重要なこととして、ＷＴＲＵ１０２は、前記要素のサブコンビネーションを包含することができ、その後も引き続き用例と一致する。また、基地局１１４ａおよび１１４ｂ、または基地局１１４ａおよび１１４ｂが代表し得るノード（たとえば、中でもＢＴＳ、ノードＢ、サイトコントローラ、ＡＰ、ホームノードＢ、進化型ホームノードＢ（evolved  home  node-B：ｅＮｏｄｅＢ、）、ホーム進化型ノードＢ（home  evolved  node-B：ＨｅＮＢ）、ホーム進化型ノードＢゲートウェイ、およびプロキシノードを含むがこれらのみには限られない）は、図２９Ｂに示されている要素の一部または全部を含むことができ、かつ、本願において開示されるビーム管理の方法およびシステムを実行する典型的実施形態となり得る。
【０１１０】
プロセッサ１１８は、汎用プロセッサ、特殊用途プロセッサ、従来型プロセッサ、デジタルシグナルプロセッサ（digital  signal  processor：ＤＳＰ）、複数のマイクロプロセッサ、ＤＳＰコアと組み合わされる１つまたは複数のマイクロプロセッサ、コントローラ、マイクロコントローラ、特定用途向け集積回路（Application  Specific  Integrated  Circuit：ＡＳＩＣ）、フィールドプログラマブルゲートアレイ（Field  Programmable  Gate  Array：ＦＰＧＡ）回路、その他の任意の種類の集積回路（integrated  circuit：ＩＣ）、状態機械などとすることができる。プロセッサ１１８は、信号コード化、データ処理、電源制御、入力／出力処理、またはＷＴＲＵ１０２が無線環境において動作することを可能にするその他の機能を果たし得る。プロセッサ１１８は、送信／受信要素１２２と結合され得るトランシーバ１２０と結合されてもよい。図２９Ｂはプロセッサ１１８およびトランシーバ１２０を別々の構成要素として示しているが、重要なこととしてプロセッサ１１８およびトランシーバ１２０は、電子パッケージまたはチップ中にともに集積することができる。
【０１１１】
送信／受信要素１２２は、無線インターフェース１１５／１１６／１１７経由で基地局（たとえば、基地局１１４ａ）と信号を送受するように構成され得る。たとえば、送信／受信要素１２２は、ＲＦ信号を送信または受信するように構成されたアンテナとすることができる。図２９Ａには示されていないが、重要なこととしてＲＡＮ１０３／１０４／１０５またはコアネットワーク１０６／１０７／１０９は、ＲＡＮ１０３／１０４／１０５と同じＲＡＴまたは異なるＲＡＴを使用する他のＲＡＮと直接または間接に通信することができる。たとえば、Ｅ−ＵＴＲＡ無線技術を利用し得るＲＡＮ１０３／１０４／１０５と接続されることに加えて、コアネットワーク１０６／１０７／１０９は、ＧＳＭ無線技術を使用する別のＲＡＮ（示されていない）とも通信することができる。
【０１１２】
コアネットワーク１０６／１０７／１０９は、ＷＴＲＵ１０２ａ、１０２ｂ、１０２ｃ、１０２ｄがＰＳＴＮ１０８、インターネット１１０、その他のネットワーク１１２にアクセスするためのゲートウェイとして役割を果たすこともできる。ＰＳＴＮ１０８は、ＰＯＴＳを提供する回線交換電話ネットワークを含み得る。インターネット１１０は、ＴＣＰ、ＵＤＰおよびＴＣＰ／ＩＰインターネットプロコトル群中のＩＰなどの共通の通信プロコトルを使用する相互接続コンピュータネットワークおよび機器からなるグローバルシステムを含み得る。ネットワーク１１２は、他のサービス提供業者により所有または運用されている有線または無線通信ネットワークを含み得る。たとえば、ネットワーク１１２は、ＲＡＮ１０３／１０４／１０５と同じＲＡＴまたは異なるＲＡＴを使用し得る１つまたは複数のＲＡＮに接続されている別のコアネットワークを含むことができる。
【０１１３】
通信システム１００中のＷＴＲＵ１０２ａ、１０２ｂ、１０２ｃ、１０２ｄの一部またはすべてはマルチモード機能を含むことができる。たとえば、ＷＴＲＵ１０２ａ、１０２ｂ、１０２ｃ、１０２ｄは、種々の無線リンク経由で種々の無線ネットワークと通信するための多数のトランシーバを含み得る。たとえば、図２９Ａに示されているＷＴＲＵ１０２ｃは、セルラ無線技術を使用し得る基地局１１４ａおよびＩＥＥＥ８０２無線技術を使用し得る基地局１１４ｂと通信するように構成され得る。
【０１１４】
図２９Ｂは、本願において示されている例に従って無線通信を行うように構成された装置または機器の例、たとえばＷＴＲＵ１０２を示すブロック図である。図２９Ｂに示されているように、例示ＷＴＲＵ１０２は、プロセッサ１１８、トランシーバ１２０、送信／受信要素１２２、スピーカ／マイクロフォン１２４、キーパッド１２６、ディスプレイ／タッチパッド／インジケータ１２８、ノンリムーバブルメモリ１３０、リムーバブルメモリ１３２、電源１３４、ＧＰＳチップセット１３６、およびその他の周辺機器１３８を含み得る。重要なこととして、ＷＴＲＵ１０２は、前記要素のサブコンビネーションを包含することができ、その後も引き続き用例と一致する。また、これらの例全体を通じて本願において考えられているように、基地局１１４ａおよび１１４ｂ、または基地局１１４ａおよび１１４ｂが代表し得るノード（たとえば、中でもＢＴＳ、ノードＢ、サイトコントローラ、ＡＰ、ホームノードＢ、ｅノードＢ、ＨｅＮＢ、ホーム進化型ノードＢゲートウェイ、およびプロキシノードを含むがこれらのみには限られない）は、本願において記述され、かつ、図２９Ｂに示されている要素の一部または全部を含むことができる。
【０１１５】
プロセッサ１１８は、汎用プロセッサ、特殊用途プロセッサ、従来型プロセッサ、ＤＳＰ、複数のマイクロプロセッサ、ＤＳＰコアと組み合わされる１つまたは複数のマイクロプロセッサ、コントローラ、マイクロコントローラ、ＡＳＩＣ、ＦＰＧＡ回路、その他の任意の種類のＩＣ、状態機械などとすることができる。プロセッサ１１８は、信号コード化、データ処理、電源制御、入力／出力処理、またはＷＴＲＵ１０２が無線環境において動作することを可能にするその他の機能を果たし得る。プロセッサ１１８は、送信／受信要素１２２と結合され得るトランシーバ１２０と結合されてもよい。図２９Ｂはプロセッサ１１８およびトランシーバ１２０を別々の構成要素として示しているが、重要なこととしてプロセッサ１１８およびトランシーバ１２０は、電子パッケージまたはチップ中にともに集積することができる。
【０１１６】
送信／受信要素１１２は、無線インターフェース１１５／１１６／１１７経由で基地局（たとえば、基地局１１４ａ）に信号を送信するかまたはそれから受信するように構成し得る。たとえば、送信／受信要素１２２は、ＲＦ信号を送信または受信するように構成されたアンテナとすることができる。１つの例では、送信／受信要素１２２は、たとえば、ＩＲ、ＵＶ、または可視光線信号を送信または受信するように構成されたエミッタ／デテクタとすることができる。さらに別の例では、送信／受信要素１２２は、ＲＦ信号と光信号の両方を送受するように構成することもできる。重要なこととして、送信／受信要素１２２は、無線信号の任意の組み合わせを送信または受信するように構成し得る。
【０１１７】
また、送信／受信要素１２２は図２９Ｂにおいて単一の要素として描かれているが、ＷＴＲＵ１０２は、任意の個数の送信／受信要素１２２を含み得る。より具体的には、ＷＴＲＵ１０２は、ＭＩＭＯ技術を使用することができる。したがって、１つの例では、ＷＴＲＵ１０２は、無線インターフェース１１５／１１６／１１７経由で無線信号を送受するために２つ以上の送信／受信要素１２２（たとえば、マルチアンテナ）を含み得る。
【０１１８】
トランシーバ１２０は、送信／受信要素１２２により送信される信号を変調し、かつ、送信／受信要素１２２により受信される信号を復調するように構成され得る。上述したように、ＷＴＲＵ１０２は、マルチモード機能をもち得る。したがって、トランシーバ１２０は、ＷＴＲＵ１０２が多数のＲＡＴ、たとえば、ＵＴＲＡおよびＩＥＥＥ８０２．１１経由で通信できるようにするために多数のトランシーバを含むことができる。
【０１１９】
ＷＴＲＵ１０２のプロセッサ１１８は、スピーカ／マイクロフォン１２４、キーパッド１２６、またはディスプレイ／タッチパッド／インジケータ１２８（たとえば、液晶ディスプレイ（liquid  crystal  display：ＬＣＤ）表示装置または有機発光ダイオード（organic  light-emitting  diode：ＯＬＥＤ）表示装置）と結合されて、それらからのユーザ入力データを受け取ることができる。プロセッサ１１８は、ユーザデータをスピーカ／マイクロフォン１２４、キーパッド１２６、またはディスプレイ／タッチパッド／インジケータ１２８に出力することもできる。また、プロセッサ１１８は、ノンリムーバブルメモリ１３０またはリムーバブルメモリ１３２などの任意の種類の適切なメモリ中の情報にアクセスし、かつ、そのメモリ中にデータを格納することができる。ノンリムーバブルメモリ１３０は、ランダムアクセスメモリ（random-access  memory：ＲＡＭ）、読み出し専用メモリ（read-only  memory：ＲＯＭ）、ハードディスク、またはその他の任意の種類のメモリ記憶装置を含み得る。リムーバブルメモリ１３２は、加入者識別モジュール（subscriber  identity  module：ＳＩＭ）カード、メモリスティック、セキュアデジタル（secure  digital：ＳＤ）メモリカードなどを含み得る。１つの例では、プロセッサ１１８は、サーバまたはホームコンピュータ（示されていない）上など、ＷＴＲＵ１０２に物理的に置かれていないメモリ中の情報にアクセスし、かつ、その中にデータを格納することができる。プロセッサ１１８は、本願において記述されている実施例におけるビーム管理プロシージャの一部の実施の成否に応じてディスプレイまたはインジケータ１２８上の発光パターン、画像またはカラーを制御するように、またはビーム管理の状態および関連要素をその他により表示するように構成され得る。ディスプレイまたはインジケータ１２８上の制御発光パターン、画像、またはカラーは、本願において図示または考察されている図（たとえば、図２０〜図２８など）における方法の流れまたは構成要素の状態を反映することができる。本願において、ビーム管理のメッセージおよびプロシージャが開示される。メッセージおよびプロシージャを拡張してユーザが入力源（たとえば、スピーカ／マイクロフォン１２４、キーパッド１２６、またはディスプレイ／タッチパッド／インジケータ１２８）経由でリソース関連リソースを要求するため、およびビーム管理関連情報（中でも、ディスプレイ１２８上に表示される情報）を要求、設定、または照会するためのインターフェース／ＡＰＩを提供することができる。
【０１２０】
プロセッサ１１８は、電源１３４から電力を受け取り、かつ、ＷＴＲＵ１０２中の他の構成要素に対する電力の分配または制御を行うように構成することができる。電源１３４は、ＷＴＲＵ１０２に給電するための任意の適切な機器とすることができる。たとえば、電源１３４は、１つまたは複数の乾電池、太陽電池、燃料電池などを含み得る。
【０１２１】
処理装置１１８は、ＷＴＲＵ１０２の現在位置に関する位置情報（たとえば、経度および緯度）を与えるように構成され得るＧＰＳチップセット１３６と結合されてもよい。ＧＰＳチップセット１３６からの情報に加えて、またはその代わりに、ＷＴＲＵ１０２は、基地局（たとえば、基地局１１４ａ、１１４ｂ）から無線インターフェース１１５／１１６／１１７経由で位置情報を受け取ること、または２つ以上の近くの基地局から受信される信号のタイミングに基づいてその位置を決定することができる。重要なこととして、ＷＴＲＵ１０２は、任意の適切な位置決定方法により位置情報を入手し、その後も引き続き用例と一致する。
【０１２２】
処理装置１１８は、さらに、追加の特性、機能、または有線または無線接続を与える１つまたは複数のソフトウェアまたはハードウェアモジュールを含み得る他の周辺機器１３８と結合されてもよい。たとえば、周辺機器１３８は、加速度計、バイオメトリクス（たとえば、指紋）センサなどの種々のセンサ、電子コンパス、衛星トランシーバ、デジタルカメラ（写真またはビデオ）、ユニバーサルシリアルバス（universal  serial  bus：ＵＳＢ）ポートまたはその他の相互接続インターフェース、振動デバイス、テレビトランシーバ、ハンズフリーヘッドセット、Bluetooth（登録商標）モジュール、周波数変調（frequency  modulated：ＦＭ）ラジオ受信機、デジタル音楽演奏装置、メディアプレーヤ、ビデオゲームプレーヤモジュール、インターネットブラウザなどを含み得る。
【０１２３】
開示されるＷＴＲＵ１０２は、センサ、家庭電化製品、スマートウオッチまたはスマート衣服のようなウェアラブル機器、医療またはＥヘルス機器、ロボット、産業装置、ドローン、乗用車、トラック、列車、または航空機のような乗り物などの他の装置または機器とすることができる。ＷＴＲＵ１０２は、周辺機器１３８の１つを含み得る相互接続インターフェースなどの１つまたは複数の相互接続インターフェースを経由して他の構成要素、モジュール、またはかかる装置または機器のシステムと接続することができる。
【０１２４】
図２９Ｃは、本願において考察されるビーム管理によるＲＡＮ１０３およびコアネットワーク１０６の系統図である。上述したように、ＲＡＮ１０３は、ＵＴＲＡ無線技術を使用して無線インターフェース１１５経由でＷＲＴＵ１０２ａ、１０２ｂ、および１０２ｃと通信することができる。ＲＡＮ１０３は、コアネットワーク１０６とも通信することができる。図２９Ｃに示されているように、ＲＡＮ１０３は、ノードＢ１４０ａ、１４０ｂ、１４０ｃを含み得る。これらのノードＢは、無線インターフェース１１５経由でＷＴＲＵ１０２ａ、１０２ｂ、１０２ｃと通信するために１つまたは複数のトランシーバをそれぞれ含み得る。ノードＢ１４０ａ、１４０ｂ、１４０ｃは、それぞれ、ＲＡＮ１０３内の特定のセル（示されていない）と関連付けられ得る。ＲＡＮ１０３は、ＲＮＣ１４２ａ、１４２ｂも含み得る。重要なこととして、ＲＡＮ１０３は、任意の個数のノードＢおよびＲＮＣを含み得る一方、その後も引き続き用例と一致する。
【０１２５】
図２９Ｃに示したように、ノードＢ１４０ａ、１４０ｂは、ＲＮＣ１４２ａと通信することができる。また、ノードＢ１４０ｃは、ＲＮＣ１４２ｂと通信することができる。ノードＢ１４０ａ、１４０ｂ、１４０ｃは、Ｉｕｂインターフェース経由でそれぞれのＲＮＣ１４２ａ、１４２ｂと通信することができる。ＲＮＣ１４２ａ、１４２ｂは、Ｉｕｒインターフェースでお互いに通信することができる。ＲＮＣ１４２ａ、１４２ｂのそれぞれは、それが接続されるそれぞれのノードＢ１４０ａ、１４０ｂ、１４０ｃを制御するように構成され得る。また、ＲＮＣ１４２ａ、１４２ｂのそれぞれは、外部ループ電力制御、負荷制御、アドミッションコントロール、パケットスケジューリング、ハンドオーバ制御、マクロダイバーシチ、セキュリティ機能、データ暗号化などの他の機能を実行またはサポートするように構成され得る。
【０１２６】
図２９Ｃに示されているコアネットワーク１０６は、メディアゲートウェイ（media  gateway：ＭＧＷ）１４４、移動通信交換局（mobile  switching  center：ＭＳＣ）１４６、サービングＧＰＲＳサポートノード（serving  GPRS  support  node：ＳＧＳＮ）１４８、またはゲートウェイＧＰＲＳサポートノード（gateway  GPRS  support  node：ＧＧＳＮ）１５０を含み得る。前記要素のそれぞれは、コアネットワーク１０６の一部として描かれているが、重要なこととしてこれらの要素のいずれもコアネットワーク事業者以外の実体により所有または運用され得る。
【０１２７】
ＲＡＮ１０３中のＲＮＣ１４２ａは、ＩｕＣＳインターフェース経由でコアネットワーク１０６中のＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、１０２ｃと在来の地上回線通信機器との通信を容易にするためにＰＳＴＮ１０８などの回線交換ネットワークへのアクセスをＷＴＲＵ１０２ａ、１０２ｂ、１０２ｃに提供することができる。
【０１２８】
ＲＡＮ１０３中のＲＮＣ１４２ａは、ＩｕＰＳインターフェース経由でコアネットワーク１０６中のＳＧＳＮ１４８にも接続され得る。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃとＩＰ依存機器間通信を容易にするために、ＷＴＲＵ１０２ａ、１０２ｂ、１０２ｃにインターネット１１０などのパケット交換ネットワークへのアクセスを与えることができる。
【０１２９】
上述したように、コアネットワーク１０６は、他のサービス提供業者により所有または運用される他の有線または無線ネットワークを含み得るネットワーク１１２とも接続され得る。
【０１３０】
図２９Ｄは、本願において考察されているビーム管理によるＲＡＮ１０４およびコアネットワーク１０７の系統図である。上述したように、ＲＡＮ１０４は、Ｅ−ＵＴＲＡ無線技術を使用して無線インターフェース１１６経由でＷＴＲＵ１０２ａ、１０２ｂ、および１０２ｃと通信することができる。ＲＡＮ１０４は、コアネットワーク１０７と通信することもできる。
【０１３１】
ＲＡＮ１０４は、ｅノードＢ１６０ａ、１６０ｂ、１６０ｃを含み得るが、重要なこととして、ＲＡＮ１０４は、任意の個数のｅノードＢを含むことができ、その後も引き続き用例と一致する。ｅノードＢ１６０ａ、１６０ｂ、１６０ｃは、それぞれ、無線インターフェース１１６経由でＷＴＲＵ１０２ａ、１０２ｂ、および１０２ｃと通信するために１つまたは複数のトランシーバを含むことができる。１つの例では、ｅノードＢ１６０ａ、１６０ｂ、１６０ｃは、ＭＩＭＯ技術を含むことができる。したがって、ｅノードＢ１６０ａは、たとえば、マルチアンテナを使用してＷＴＲＵ１０２ａとの間で無線信号を送受することができる。
【０１３２】
ｅノードＢ１６０ａ、１６０ｂ、および１６０ｃのそれぞれは、特定のセル（示されていない）と関連付けられることができ、かつ、無線リソース管理決定、ハンドオーバ決定、アップリンクまたはダウンリンクにおけるユーザのスケジューリングなどを取り扱うように構成され得る。図２９Ｄに示すように、ｅノードＢ１６０ａ、１６０ｂ、１６０ｃは、Ｘ２インターフェース経由でお互いに通信することができる。
【０１３３】
図２９Ｄに示されているコアネットワーク１０７は、移動管理ゲートウェイ（mobility  management  gateway：ＭＭＥ）１６２、サービングゲートウェイ１６４、およびパケットデータネットワーク（packet  data  network：ＰＤＮ）ゲートウェイ１６６を含み得る。前記要素のそれぞれはコアネットワーク１０７の一部として描かれているが、重要なこととして、これらの要素のいずれもコアネットワーク事業者以外のエンティティにより所有または運用され得る。
【０１３４】
ＭＭＥ１６２は、Ｓ１インターフェース経由でＲＡＮ１０４中のｅノードＢ１６０ａ、１６０ｂ、および１６０ｃのそれぞれと接続され、かつ、制御ノードとして動作することができる。たとえば、ＭＭＥ１６２は、ＷＴＲＵ１０２ａ、１０２ｂ、１０２ｃのユーザの認証、ベアラ起動／停止、ＷＴＲＵ１０２ａ、１０２ｂ、１０２ｃのイニシャルアタッチ中の特定サービングゲートウェイの選択などを受け持つことができる。ＭＭＥ１６２は、ＲＡＮ１０４とＧＳＭまたはＷＣＤＭＡなどの他の無線技術を使用するその他のＲＡＮ（示されていない）間のスイッチングのための制御プレーン機能も提供することができる。
【０１３５】
サービングゲートウェイ１６４は、Ｓ１インターフェース経由でＲＡＮ１０４中のｅノードＢ１６０ａ、１６０ｂ、および１６０ｃのそれぞれと接続され得る。サービングゲートウェイ１６４は、一般的にＷＴＲＵ１０２ａ、１０２ｂ、１０２ｃとの間でユーザデータパケットのルーティングおよび送受を行うことができる。サービングゲートウェイ１６４は、ｅノードＢ間ハンドオーバ中のユーザプレーンのアンカーリング、ＷＴＲＵ１０２ａ、１０２ｂ、１０２ｃのためにダウンリンクデータが利用可能であるときにページングを引き起こすこと、ＷＴＲＵ１０２ａ、１０２ｂ、１０２ｃのコンテキストの管理および格納などのその他の機能も果たすことができる。
【０１３６】
サービングゲートウェイ１６４は、ＷＴＲＵ１０２ａ、１０２ｂ、１０２ｃとＩＰ依存機器間の通信を容易にするために、ＷＴＲＵ１０２ａ、１０２ｂ、１０２ｃにインターネット１１０などのパケット交換ネットワークへのアクセスを与えるＰＤＮゲートウェイ１６６にも接続され得る。
【０１３７】
コアネットワーク１０７は、他のネットワークとの通信を容易にすることができる。たとえば、コアネットワーク１０７は、ＷＴＲＵ１０２ａ、１０２ｂ、１０２ｃと在来の地上回線通信機器の間の通信を容易にするために、ＷＴＲＵ１０２ａ、１０２ｂ、１０２ｃにＰＳＴＮ１０８などの回線交換ネットワークへのアクセスを与えることができる。たとえば、コアネットワーク１０７は、コアネットワーク１０７とＰＳＴＮ１０８の間のインターフェースとして動作するＩＰゲートウェイ（たとえば、ＩＰマルチメディアサブシステム（IP  multimedia  subsystem：ＩＭＳ）サーバ）を含むかまたはそれと通信することができる。また、コアネットワーク１０７は、ＷＴＲＵ１０２ａ、１０２ｂ、１０２ｃにネットワーク１１２（それは、他のサービス提供業者により所有または運用される他の有線または無線ネットワークを含み得る）へのアクセスを与えることができる。
【０１３８】
図２９Ｅは、本願において考察されているビーム管理に関係付けられ得るＲＡＮ１０５およびコアネットワーク１０９の系統図である。ＲＡＮ１０５は、ＩＥＥＥ８０２．１６無線技術を使用して無線インターフェース１１７経由でＷＴＲＵ１０２ａ、１０２ｂ、１０２ｃと通信するアクセスサービスネットワーク（access  service  network：ＡＳＮ）とすることができる。以下においてさらに詳しく述べるように、ＷＴＲＵ１０２ａ、１０２ｂ、１０２ｃの種々の機能エンティティ間の通信リンク、ＲＡＮ１０５、およびコアネットワーク１０９は、基準点として定義され得る。
【０１３９】
図２９Ｅに示されているように、ＲＡＮ１０５は、基地局１８０ａ、１８０ｂ、１８０ｃ、およびＡＳＮゲートウェイ１８２を含み得るが、ここで重要なこととしてＲＡＮ１０５は、任意の個数の基地局およびＡＳＮゲートウェイを含むことができ、その後も引き続き用例と一致する。基地局１８０ａ、１８０ｂ、１８０ｃは、それぞれ、ＲＡＮ１０５中の特定のセルと関係付けられ、かつ、無線インターフェース１１７経由でＷＴＲＵ１０２ａ、１０２ｂ、１０２ｃと通信するための１つまたは複数のトランシーバを含むことができる。ある例では、基地局１８０ａ、１８０ｂ、１８０ｃは、ＭＩＭＯ技術を実現することができる。したがって、基地局１８０ａは、たとえば、マルチアンテナを使用してＷＴＲＵ１０２ａとの間で無線信号を送受することができる。基地局１８０ａ、１８０ｂ、１８０ｃは、ハンドオフトリガリング、トンネル構築、無線リソース管理、トラフィック分類、ＱｏＳ方針実施などの移動管理機能も提供することができる。ＡＳＮゲートウェイ１８２は、トラフィック集約ポイントとして動作し、かつ、ページング、加入者プロファイルのキャッシング、コアネットワーク１０９へのルーティングなどを受け持つこともできる。
【０１４０】
ＷＴＲＵ１０２ａ、１０２ｂ、１０２ｃとＲＡＮ１０５間の無線インターフェース１１７は、ＩＥＥＥ８０２．１６仕様を実現するＲ１基準点として定義され得る。また、ＷＴＲＵ１０２ａ、１０２ｂ、１０２ｃのそれぞれは、コアネットワーク１０９との論理インターフェース（示されていない）を設定することもできる。ＷＴＲＵ１０２ａ、１０２ｂ、１０２ｃとコアネットワーク１０９間の論理インターフェースは、認証、許可、ＩＰホスト設定管理、または移動管理のために使用することができるＲ２基準点として定義され得る。
【０１４１】
基地局１８０ａ、１８０ｂ、１８０ｃのそれぞれの間の通信リンクは、ＷＴＲＵハンドオーバおよび基地局間のデータ転送を容易にするためのプロコトルを含むＲ８基準点として定義され得る。基地局１８０ａ、１８０ｂ、１８０ｃとＡＳＮゲートウェイ１８２間の通信リンクは、Ｒ６基準点として定義され得る。Ｒ６基準点は、ＷＴＲＵ１０２ａ、１０２ｂ、１０２ｃのそれぞれに関連する移動事象に基づく移動管理を容易にするためのプロコトルを含むことができる。
【０１４２】
図２９Ｅに示されているように、ＲＡＮ１０５は、コアネットワーク１０９に接続され得る。ＲＡＮ１０５とコアネットワーク１０９間の通信リンクは、たとえばデータ転送および移動管理機能を容易にするためのプロコトルを含み得るＲ３基準点として定義され得る。コアネットワーク１０９は、モバイルＩＰホームエージェント（mobile  IP  home  agent：ＭＩＰ−ＨＡ）１８４、認証、許可、課金（authentication,  authorization,  accounting：ＡＡＡ）サーバ１８６、およびゲートウェイ１８８を含むことができる。前記要素のそれぞれはコアネットワーク１０９の一部として描かれているが、ここで重要なこととしてこれらの要素のいずれもコアネットワーク事業者以外のエンティティにより所有または運用され得る。
【０１４３】
ＭＩＰ−ＨＡは、ＩＰアドレス管理を受け持つことができ、かつ、ＷＴＲＵ１０２ａ、１０２ｂ、１０２ｃが種々のＡＳＮまたは種々のコアネットワーク間をローミングすることを可能にし得る。ＭＩＰ−ＨＡ１８４は、ＷＴＲＵ１０２ａ、１０２ｂ、１０２ｃとＩＰ依存機器間の通信を容易にするためにＷＴＲＵ１０２ａ、１０２ｂ、１０２ｃにインターネット１１０などのパケット交換ネットワークへのアクセスを与えることができる。ＡＡＡサーバ１８６は、ユーザ認証およびユーザサービスのサポートを受け持つことができる。ゲートウェイ１８８は、他のネットワークとの相互動作を容易にすることができる。たとえば、ゲートウェイ１８８は、ＷＴＲＵ１０２ａ、１０２ｂ、１０２ｃと在来の地上回線通信機器間の通信を容易にするためにＷＴＲＵ１０２ａ、１０２ｂ、１０２ｃにＰＳＴＮ１０８などの回線交換ネットワークへのアクセスを与えることができる。また、ゲートウェイ１８８は、ＷＴＲＵ１０２ａ、１０２ｂ、１０２ｃに他のサービス事業者より所有または運用される他の有線または無線ネットワークを含み得るネットワーク１１２へのアクセスを与えることができる。
【０１４４】
図２９Ｅには示されていないが、重要なこととしてＲＡＮ１０５は他のＡＳＮに接続されることができ、かつ、コアネットワーク１０９は他のコアネットワークに接続され得る。ＲＡＮ１０５と他のＡＳＮ間の通信リンクは、ＲＡＮ１０５と他のＡＳＮ間におけるＷＴＲＵ１０２ａ、１０２ｂ、１０２ｃの移動を調整するプロコトルを含み得るＲ４基準点として定義され得る。コアネットワーク１０９と他のコアネットワーク間の通信リンクは、ホームコアネットワークと在圏コアネットワーク間の相互動作を容易にするプロコトルを含み得るＲ５基準として定義され得る。
【０１４５】
本願において記述され、図２９Ａ、２９Ｃ、２９Ｄ、および２９Ｅに示されているコアネットワークエンティティは、一定の既存３ＧＰＰ仕様書においてこれらのエンティティに与えられている名称により識別されるが、当然のことながら将来においてこれらのエンティティおよび機能は他の名称により識別され、かつ、一定のエンティティまたは機能は、将来の３ＧＰＰ  ＮＲ仕様書を含む３ＧＰＰにより公開される将来の仕様書において組み合わされるであろう。したがって、図２９Ａ、２９Ｂ、２９Ｃ、２９Ｄ、および２９Ｅにおいて記述かつ図解されている特定のネットワークエンティティおよび機能は、単なる例示として示されたものであり、かつ、当然のことながら、本願において開示され、かつ、請求される主題事項は、現在定義されているかまたは将来において定義される同様な通信システムにおいて実現され得る。図２９Ａ〜２９Ｅにおけるノード（たとえば、ノードＢ１４０ａ、ｅノードＢ１６０ａ、基地局１８０ｂ）は、中でも、図２０〜図２８において考察されるＮＷノードと関連付けられ得る。
【０１４６】
図２９Ｆは、ＲＡＮ１０３／１０４／１０５、コアネットワーク１０６／１０７／１０９、ＰＳＴＮ１０８、インターネット１１０、または他のネットワーク１１２中の一定のノードまたは機能エンティティなど図２９Ａ、２９Ｃ、２９Ｄおよび２９Ｅに示されている通信ネットワークの１つまたは複数の装置を使用することができる典型的コンピュータシステム９０のブロック図である。コンピュータシステム９０は、コンピュータまたはサーバを含むことができ、かつ、主として、ソフトウェアの形態となし得る所在を問わないコンピュータ読み取り可能命令により、またはかかるソフトウェアが格納またはアクセスされ得る任意の手段により制御され得る。かかるコンピュータ読み取り可能命令をプロセッサ９１内において実行することができ、それによりコンピュータシステム９０を動作させ得る。プロセッサ９１は、汎用プロセッサ、特殊目的プロセッサ、在来型プロセッサ、ＤＳＰ、複数のマイクロプロセッサ、ＤＳＰコアと連動する１つまたは複数のマイクロプロセッサ、コントローラ、マイクロコントローラ、ＡＳＩＣ、ＦＰＧＡ回路、その他の種類のＩＣ、状態機械などとすることができる。プロセッサ９１は、信号コード化、データ処理、電源制御、入力／出力処理、またはコンピュータシステム９０が通信ネットワークにおいて動作することの可能にするその他の機能を果たすことができる。コプロセッサ８１は、メインプロセッサ９１とは別のオプショナルプロセッサである。それは、追加機能を果たすかまたはプロセッサ９１を補助し得る。プロセッサ９１またはコプロセッサ８１は、ビーム管理について本願において開示される方法および装置に関するデータを受信、生成、および処理することができる。
【０１４７】
プロセッサ９１は、動作中、命令を取得し、復号し、かつ、実行し、かつ、このコンピュータシステムの主要なデータ転送パスであるシステムバス８０経由で他のリソースとの間で情報を授受する。かかるシステムバスは、コンピュータシステム９０の構成要素を接続しており、かつ、データ交換のための媒体を規定している。システムバス８０は、一般的に、データを送るデータライン、アドレスを送るアドレスライン、割り込みを送る制御ラインおよびシステムバスを動作させる制御ラインを含んでいる。このようなシステムバス８０の例は、ペリフェラルコンポーネントインターコネクト（Peripheral  Component  Interconnect：ＰＣＩ）バスである。
【０１４８】
システムバス８０と結合されるメモリは、ＲＡＭ８２およびＲＯＭ９３を含む。かかるメモリは、情報の格納および取り出しを可能にすする回路を含んでいる。ＲＯＭ９３は、一般的に、容易に変更できない格納データを含んでいる。ＲＡＭ８２中に格納されるデータは、プロセッサ９１またはその他のハードウェアデバイスにより読み出されるかまたは変更され得る。ＲＡＭ８２またはＲＯＭ９３へのアクセスは、メモリコントローラ９２により制御され得る。メモリコントローラ９２は、命令が実行されるときに仮想アドレスを物理的アドレスに変換するアドレス変換機能を与え得る。メモリコントローラ９２は、システム内のプロセスを区分けし、かつ、システムプロセスとユーザプロセスを区別するメモリ保護機能も与え得る。したがって最初のモードにおいて実行されるプログラムは、それ自身のプロセス仮想アドレス空間によりマップされたメモリのみにアクセスできる。それは、プロセス間のメモリ共用が設定されていない限り、別のプロセスの仮想アドレス空間内のメモリにはアクセスできない。
【０１４９】
また、コンピュータシステム９０は、プロセッサ９１からの命令をプリンタ９４、キーボード８４、マウス９５、およびディスクドライブ８５などの周辺機器に伝える役割を果たす周辺機器コントローラ８３を含み得る。
【０１５０】
ディスプレイコントローラ９６により制御されるディスプレイ８６は、コンピュータシステム９０により生成された視覚出力を表示するために使用される。このような視覚出力は、テキスト、グラフィックス、動画グラフィックス、およびビデオを含み得る。視覚出力は、グラフィカルユーザインターフェース（graphical  user  interface：ＧＵＩ）の形態で与え得る。ディスプレイ８６は、ＣＲＴビデオディスプレイ、ＬＣＤフラットパネルディスプレイ、ガスプラズマフラットパネルディスプレイ、またはタッチパネルにより実現することができる。ディスプレイコントローラ９６は、ディスプレイ８６に送られるビデオ信号は生成するために必要な電子構成部品を含んでいる。
【０１５１】
さらに、コンピュータシステム９０は、たとえば、ネットワークアダプタ９７などの通信回路を含むことができる。この回路を使用してコンピュータシステム９０を図２９Ａ、２９Ｂ、２９Ｃ、２９Ｄ、および２９ＥのＲＡＮ１０３／１０４／１０５、コアネットワーク１０６／１０７／１０９、ＰＳＴＮ１０８、インターネット１１０またはその他のネットワーク１１２などの外部通信ネットワークに接続して、コンピュータシステム９０がこれらのネットワークの他のノードまたは機能エンティティと通信できるようにすることができる。本願において記述される一定の装置、ノード、または機能エンティティの送信および受信ステップを実行するために、この通信回路を単独でまたはプロセッサ９１と組み合わせて使用することができる。
【０１５２】
当然のことながら、本願において記述されるありとあらゆる装置、システム、方法およびプロセスは、コンピュータ読み取り可能記憶媒体に格納されたコンピュータ実行可能な命令（たとえば、プログラムコード）の形態で使用され得る。これらの命令は、プロセッサ１１８または９１などのプロセッサにより実行されたとき、プロセッサに本願記述のシステム、方法およびプロセスを実行または実現させる。特に、本願記述のステップ、動作または機能のいずれも、無線または有線ネットワーク通信のために構成された装置またはコンピュータシステムのプロセッサにより実行されるかかるコンピュータ実行可能命令の形態で実現され得る。コンピュータ読み取り可能記憶媒体は、情報の格納のための持続的（たとえば、触知可能または物理的）な方法または技術により実現される揮発性および不揮発性、リムーバブルおよびノンリムーバブル媒体を含むが、しかしかかるコンピュータ読み取り可能記憶媒体は信号を含まない。コンピュータ読み取り可能記憶媒体は、ＲＡＭ、ＲＯＭ、ＥＥＰＲＯＭ、フラッシュメモリまたはその他メモリ技術、ＣＤ−ＲＯＭ、デジタル多用途ディスク（digital  versatile  disk：ＤＶＤ）またはその他の光ディスク記憶装置、磁気カセット、磁気テープ、磁気ディスク記憶装置またはその他の磁気記憶機器、または所望の情報を格納するために使用でき、かつ、コンピュータシステムによりアクセス可能なその他の触知可能または物理的媒体を含むが、これらのみには限られない。
【０１５３】
図面に示されている本開示の主題事項（ビーム管理）の好ましい方法、システム、または装置の記述において、明確さを期するために、特有の用語を使用した。しかし、請求される主題事項は、そのように選択された特有の用語に限定されることを意図しておらず、かつ、当然のことながらそれぞれの特定の要素は、同様な目的を達成するために同様な方法で動作するすべての技術的等価要素を含んでいる。
【０１５４】
本願において記述された種々の技術は、ハードウェア、ファームウェア、ソフトウェアまたは適切な場合にはそれらの組み合わせに関連して実現され得る。かかるハードウェア、ファームウェア、およびソフトウェアは、通信ネットワークの種々のノードに配置される装置の中に存在し得る。これらの装置は、単独でまたはお互いに協力して動作することにより本願記述の方法を実現することができる。本願において使用されている用語、「装置」、「ネットワーク装置」、「ノード」、「機器」、「ネットワークノード」、または同様な表現は同じ意味で使用可能である。また、用語、「または」の使用は、本願において別段の指示のない限り、包括的に使用されている。用語、ＭＡＣ層、ＭＡＣエンティティ、ＭＡＣ、ＭＡＣ副層などは、一般的に同じ意味で使用されている。ＭＡＣエンティティは、ＭＡＣ機能を果たす装置の部分と見なすことができる。すなわち、ＭＡＣ層の実現である。あるシナリオでは、たとえばデュアルコネクティビティの場合に、装置中に多数のＭＡＣエンティティが存在し得る。開示を単純化するために、本願において示されている例では、一般的にＵＥ中に１つのＭＡＣエンティティが存在し、かつ、ｇＮＢ中に別のＭＡＣエンティティが存在する。ＵＥとｇＮＢ間のＭＡＣ層通信に言及する場合に、これらが考えられるピアＭＡＣエンティティである。さらに、閾値「より大きい」および「より小さい」が使用されているが（たとえば、表４）、閾値内または閾値到達の用語を使用して「より大きい」および「より小さい」の用語を包含することができる。
【０１５５】
この文書記述では、本発明を開示するためおよび機器またはシステムの製造および使用ならびに包含されている方法の実施を含めて当業者がこの発明を実施できるようにするためにもベストモードを含む例を使用する。本発明の特許性を有する範囲は請求項により定義されるが、当業者の思い付く他の例（本願において開示される典型的方法間におけるステップの省略、ステップの組み合わせ、またはステップの追加）を含み得る。かかる他の例は、それらが請求項の文言と異ならない構造的要素をもっている場合、またはそれらが請求項の文言から実質的差異のない等価の構造的要素を含んでいる場合には、請求項の範囲に含まれることを意図している。
【０１５６】
本願において記述されている方法、システム、および装置は、とりわけ、キャリア集約よるビーム集約のようなビーム管理に関連付けられ得る。方法、システム、コンピュータ読み取り可能記憶媒体、または装置は、以下のようにマップするＭＡＣ層を含む手段をもっている。１）第１伝送ブロックを第１スケジュールサービングビームに、また、第２伝送ブロックを第２スケジュールサービングビームにマップする。この装置は、ＵＥとすることができる。ＭＡＣ層は、第１無線リンク制御を第１伝送ブロックに、第２リンク制御を第２伝送ブロックに多重化する。このマッピングは、ユーザ装置測定に基づき得る。ユーザ装置測定は、基準信号受信電力、基準信号受信品質、受信信号強度指標、ＮＲ−ＲＳＲＰ、または基準信号対雑音干渉比を含み得る。このマッピングは、ネットワークノード測定に基づき得る。ネットワークノード測定は、１つまたは複数のビームのＮＲ−ＲＳＲＰを含み得る。第１スケジュールサービングビームは第１ハイブリッド自動再送要求（hybrid  automatic  repeat  request：ＨＡＲＱ）にマップされ、かつ、第２スケジュールサービングビームは第２のＨＡＲＱにマップされ得る。この項のすべての組み合わせ（ステップの除去または追加を含む）は、詳細説明の他の部分と一致する方法により想定されている。
【０１５７】
本願において記述されている方法、システム、および装置は、とりわけ、キャリア集約によるビーム集約のようなビーム管理に関連付けられ得る。方法、システム、コンピュータ読み取り可能記憶媒体、または装置は、以下のようにマップするＭＡＣ層を含む手段をもっている。すなわち、第１伝送ブロックを第１ビームと第１コンポーネントキャリアの第１対に、また、第２伝送ブロックを第２ビームと第２コンポーネントキャリアの第２対にマップする。第１伝送ブロックは第１伝送時間間隔（transmission  time  interval：ＴＴＩ）にマップ可能であり、また、第２伝送ブロックは第２ＴＴＩにマップする。第１伝送ブロックは第１ＨＡＲＱにマップ可能であり、また、第２伝送ブロックは第２ＨＡＲＱにマップ可能である。この装置は、ＵＥとすることができる。ＭＡＣ層は、論理チャネル優先順位付けおよび論理チャネルスケジューリングを行い得る。ＭＡＣ層は、基地局からのグラントに基づいて論理チャネル優先順位付けおよび論理チャネルスケジューリングを行い得る。基地局は、ｇＮＢであり得る。ＮＲアクセス技術はＬＴＥまたは同様な技術に取って代わることができ、かつ、新しい基地局はｇＮＢ（またはｇＮｏｄｅＢ：たとえば、ＬＴＥのｅノードＢなどに取って代わる）と呼ばれ得る。この装置は、ネットワークノードとすることができる。この項のすべての組み合わせ（ステップの除去または追加を含む）は、詳細説明の他の部分と一致する方法により想定されている。
【０１５８】
本願において記述されている方法、システム、および装置は、とりわけ、キャリア集約よるビーム集約のようなビーム管理に関連付けられ得る。方法、システム、コンピュータ読み取り可能記憶媒体、または装置は、ビームトレーニングコマンドおよびビームのビームインデックスを与えること、およびビームトレーニングコマンドを与えたことに応じてＢＴ−ＲＳを受信することを含む手段を有している。ビームトレーニング基準信号は、ビームスウィーピングと関連付けられ得る。ビームトレーニングコマンドは、ＬＣＩＤ値を含み得る。方法、システム、コンピュータ読み取り可能記憶媒体、または装置は、ビームトレーニング基準信号を受信した後に測定を行うことを含む手段を有している。測定は、ビームトレーニング基準信号について行われ得る。測定結果は、基準信号受信電力、基準信号受信品質、受信信号強度指標、ＮＲ−ＲＳＲＰ、または基準信号対雑音干渉比を含み得る。ビームインデックスは、ＭＡＣ層によりビーム識別を探すために使用され得る。測定結果は、測定報告の中でピアＭＡＣエンティティに送られ得る。ビームインデックスは、ＭＡＣ層によりビームの関連特性を探索するために使用され得る。方法、システム、コンピュータ読み取り可能記憶媒体、または装置は、ビームトレーニング基準信号を表示することを含む手段を有している。この装置はＵＥとすることができる。これらの方法、システム、コンピュータ読み取り可能記憶媒体、または装置は、ビームトレーニング基準信号の受信に応じてビームトレーニング基準信号に関する測定を実行すること、ビームトレーニング基準信号に関する測定結果および無線ネットワークのトラフィック分布に基づいて１つまたは複数のビームに関する閾値測定が到達されたことを判定すること（この場合、前記１つまたは複数の第１ビームが前記ビームインデックスにより識別される）、かつ、前記１つまたは複数のビームに関する閾値測定が到達されたとの判定に基づいて前記１つまたは複数のビームを設定する命令群を与えること（これらの命令群はビーム解放コマンドまたはビーム追加コマンドを含んでいる）を含む手段を有している。これらの方法、システム、コンピュータ読み取り可能記憶媒体、または装置は、ビームトレーニング基準信号の受信に応じてビームトレーニング基準信号に関する測定を実行すること、ビームトレーニング基準信号に関する測定結果に基づいて１つまたは複数のビームに関する閾値測定が到達されたことを判定すること（このとき、前記１つまたは複数の第１ビームが前記ビームインデックスにより識別される）、かつ、前記１つまたは複数のビームに関する閾値測定が到達されたとの判定に基づいて前記１つまたは複数のビーム（または他のＬＣＩＤ）の少なくとも第１ビーム測定をピア媒体アクセス制御層に報告する命令を与えることを含む手段を有している。前記１つまたは複数のビームの第１ビームは、前記ビームインデックスにより識別可能であり、この場合、閾値測定はサービングビームの本数（たとえば、総計）とすることができる。閾値測定は、候補ビームの本数とすることができる。ピア媒体アクセス制御層に対する前記１つまたは複数のビームの前記少なくとも第１ビーム測定の報告は、媒体アクセス制御層制御要素の範囲内とすることができる。媒体アクセス制御層制御要素は、論理チャネル識別子をもつＭＡＣプロコトルデータユニットサブヘッダにより識別され得る。論理チャネル識別子は、ビーム測定またはビームトレーニングコマンド、ビームアラインメントコマンド、ビームトラッキングコマンド、ビーム追加コマンド、またはビーム解放コマンドに対応する値を含むことができる。この項のすべての組み合わせ（ステップの除去または追加を含む）は、詳細説明の他の部分と一致する方法により想定されている。
【図１】
2019525644.tif 000009
【図２】
2019525644.tif 000010
【図３】
2019525644.tif 000011
【図４】
2019525644.tif 000012
【図５】
2019525644.tif 000013
【図６】
2019525644.tif 000014
【図７】
2019525644.tif 000015
【図８】
2019525644.tif 000016
【図９】
2019525644.tif 000017
【図１０】
2019525644.tif 000018
【図１１】
2019525644.tif 000019
【図１２】
2019525644.tif 000020
【図１３】
2019525644.tif 000021
【図１４】
2019525644.tif 000022
【図１５】
2019525644.tif 000023
【図１６】
2019525644.tif 000024
【図１７】
2019525644.tif 000025
【図１８】
2019525644.tif 000026
【図１９】
2019525644.tif 000027
【図２０】
2019525644.tif 000028
【図２１】
2019525644.tif 000029
【図２２】
2019525644.tif 000030
【図２３】
2019525644.tif 000031
【図２４】
2019525644.tif 000032
【図２５】
2019525644.tif 000033
【図２６】
2019525644.tif 000034
【図２７】
2019525644.tif 000035
【図２８】
2019525644.tif 000036
【図２９Ａ】
2019525644.tif 000037
【図２９Ｂ】
2019525644.tif 000038
【図２９Ｃ】
2019525644.tif 000039
【図２９Ｄ】
2019525644.tif 000040
【図２９Ｅ】
2019525644.tif 000041
【図２９Ｆ】
2019525644.tif 000042
【図３０】
2019525644.tif 000043
【国際調査報告】
2019525644.tif 000044
2019525644.tif 000045
2019525644.tif 000046